(57)【要約】【課題】複数の束金種の小束紙幣の入出庫を容易かつ短時間で行うことができる現金管理装置の提供。【解決手段】現金管理装置本体１１と、現金管理装置本体１１に対してスライド開閉可能に設けられ引き出された開状態で小束紙幣が入出庫可能となる複数の小束収納部１２（ｂ）と、小束収納部１２（ｂ）からの小束紙幣の取り出しを可能とする小束出庫モードおよび小束収納部１２（ｂ）への小束紙幣の収納を可能とする小束入庫モードの実行が可能であるとともに小束収納部１２（ｂ）の小束紙幣の入出庫を管理する制御手段とを有し、少なくとも一つの小束収納部１２（ｂ）−１が、一つにすべての束金種の小束紙幣を収納可能な全束金種収納部であり、制御手段は、全束金種収納部のすべての束金種の小束紙幣の入出庫を管理可能である。【選択図】図１
2015011381.tif 000002
【特許請求の範囲】
【請求項１】
現金管理装置本体と、
該現金管理装置本体に対してスライド開閉可能に設けられ引き出された開状態で小束紙幣が入出庫可能となる複数の小束収納部と、
小束収納部からの小束紙幣の取り出しを可能とする小束出庫モードおよび小束収納部への小束紙幣の収納を可能とする小束入庫モードの実行が可能であるとともに小束収納部の小束紙幣の入出庫を管理する制御手段とを有する現金管理装置であって、
少なくとも一つの小束収納部が、一つにすべての束金種の小束紙幣を収納可能な全束金種収納部であり、前記制御手段は、前記全束金種収納部のすべての束金種の小束紙幣の入出庫を管理可能であることを特徴とする現金管理装置。
【請求項２】
少なくとも一つの小束収納部が、一つに単一束金種の小束紙幣のみを収納する単一束金種収納部であることを特徴とする請求項１記載の現金管理装置。
【請求項３】
前記単一束金種収納部をすべての束金種分有することを特徴とする請求項２記載の現金管理装置。
【請求項４】
同じ束金種の前記単一束金種収納部を複数有することを特徴とする請求項２または３記載の現金管理装置。
【請求項５】
複数の同じ束金種の前記単一束金種収納部のうちの一つが新券束を収納し、残りが流通券束を収納することを特徴とする請求項４記載の現金管理装置。
【請求項６】
少なくとも一つの小束収納部が、一つに所定の二つの束金種の小束紙幣のみを収納する二束金種収納部であることを特徴とする請求項１乃至５のいずれか一項記載の現金管理装置。
【請求項７】
少なくとも一つの小束収納部が、一つに新券の小束紙幣のみを収納する新券束収納部であることを特徴とする請求項１乃至６のいずれか一項記載の現金管理装置。
【請求項８】
大束紙幣を収納する大束収納部を有することを特徴とする請求項１乃至７のいずれか一項記載の現金管理装置。
【請求項９】
前記全束金種収納部に収納されているすべての小束紙幣の束金種と数量とを判別する判別手段が設けられていることを特徴とする請求項１乃至８のいずれか一項記載の現金管理装置。
【請求項１０】
前記制御手段は、一度開状態とされた前記全束金種収納部が閉状態とされる際に前記判別手段によって前記全束金種収納部内のすべての小束紙幣の束金種と数量とを判別させることを特徴とする請求項９記載の現金管理装置。
【請求項１１】
前記制御手段は、前記全束金種収納部に対して一の前記小束出庫モードを実行する際に、当該一の小束出庫モードの実行開始に当たって操作手段に入力された取出内容に含まれる全束金種の小束紙幣が、当該一の小束出庫モードの一度のみの前記開状態で前記全束金種収納部から取り出し可能であることを特徴とする請求項１乃至１０のいずれか一項記載の現金管理装置。
【請求項１２】
前記制御手段は、前記全束金種収納部に対して一の前記小束入庫モードを実行する際に、当該一の小束入庫モードの実行開始に当たって操作手段に入力された収納内容に含まれる全束金種の小束紙幣が、当該一の小束入庫モードの一度のみの前記開状態で前記全束金種収納部に収納可能であることを特徴とする請求項１乃至１１のいずれか一項記載の現金管理装置。
【請求項１３】
前記制御手段は、小束紙幣の入出庫の内容をログ記憶手段に記憶させることを特徴とする請求項１乃至１２のいずれか一項記載の現金管理装置。
【請求項１４】
前記制御手段は、複数の小束収納部間での小束紙幣の移動を可能とする小束収納部間移動モードを実行可能であり、該小束収納部間移動モードの実行開始に当たって操作手段に入力された移動内容にしたがって移動元の小束収納部からの小束紙幣の取り出しおよび移動先の小束収納部への小束紙幣の収納を可能とするとともに移動元の小束収納部から移動先の小束収納部への小束紙幣の移動状況を管理することを特徴とする請求項１乃至１３のいずれか一項記載の現金管理装置。
【請求項１５】
前記小束収納部間移動モードは、
前記操作手段に前記移動内容の入力を受け付ける入力受付ステップと、
入力された前記移動内容にしたがって移動元の小束収納部のロックを解除し該移動元の小束収納部を引き出し可能な状態とする移動元ロック解除ステップと、
入力された前記移動内容にしたがって移動先の小束収納部のロックを解除し該移動先の小束収納部を引き出し可能な状態とする移動先ロック解除ステップと、
前記移動元の小束収納部の小束紙幣の取り出し状況を確認する取出確認ステップと、
前記移動先の小束収納部の小束紙幣の収納状況を確認する収納確認ステップと、を有することを特徴とする請求項１４記載の現金管理装置。
【請求項１６】
前記制御手段は、前記入力受付ステップにおいて、前記操作手段への移動元の小束収納部の指定入力時には移動元となり得る小束収納部のみを選択入力可能とすることを特徴とする請求項１５記載の現金管理装置。
【請求項１７】
前記制御手段は、前記入力受付ステップにおいて、前記操作手段への移動先の小束収納部の指定入力時には移動先となり得る小束収納部のみを選択入力可能とすることを特徴とする請求項１５または１６記載の現金管理装置。
【請求項１８】
前記制御手段は、前記入力受付ステップにおいて、移動元の小束収納部および移動先の小束収納部の現在の在高を表示手段に表示可能であることを特徴とする請求項１５乃至１７のいずれか一項記載の現金管理装置。
【請求項１９】
前記制御手段は、前記移動元ロック解除ステップの実行後に移動元の小束収納部が閉状態から開状態となり再び閉状態になると、前記移動先ロック解除ステップを実行することを特徴とする請求項１５乃至１８のいずれか一項記載の現金管理装置。
【請求項２０】
前記制御手段は、前記入力受付ステップにおいて入力された移動元の小束収納部から取り出されるべき小束紙幣の内容と、前記取出確認ステップにおいて確認した当該移動元の小束収納部から実際に取り出された小束紙幣の内容との一致を判定することを特徴とする請求項１５乃至１９のいずれか一項記載の現金管理装置。
【請求項２１】
前記制御手段は、前記入力受付ステップにおいて入力された移動先の小束収納部へ収納されるべき小束紙幣の内容と、前記収納確認ステップにおいて確認した当該移動先の小束収納部に実際に収納された小束紙幣の内容との一致を判定することを特徴とする請求項１５乃至２０のいずれか一項記載の現金管理装置。
【請求項２２】
前記制御手段は、一つの小束収納部内での小束紙幣の移動を可能とする小束収納部内移動モードを実行可能であることを特徴とする請求項１乃至２１のいずれか一項記載の現金管理装置。
【請求項２３】
前記制御手段は、小束紙幣の移動内容をログ記憶手段に記憶させることを特徴とする請求項１４乃至２２のいずれか一項記載の現金管理装置。
【発明の詳細な説明】
【技術分野】
【０００１】
本発明は、補充用の現金の管理に用いられる現金管理装置に関する。
【背景技術】
【０００２】
銀行等の金融機関において、本体から引き出し可能に設けられた複数の収納部に現金を収納し管理する現金管理装置が用いられている。この現金管理装置では、金種データと入出の区別データと数量データとを入力して、対応する収納部に対して現金の入出庫を行うようになっている（例えば特許文献１参照）。そして、特に小束紙幣を収納する収納部は、それぞれが単一金種のみを収納するようになっている。
【先行技術文献】
【特許文献】
【０００３】
【特許文献１】特開２０１２−４８３６３号公報
【発明の概要】
【発明が解決しようとする課題】
【０００４】
ところで、複数の束金種の小束紙幣を入出庫する場合、担当者は、対応する収納部のそれぞれについて引き出しおよび押し込みを行って現金の入出庫を行う必要がある。したがって、作業が面倒であり、また処理に時間がかかるという問題があった。
【０００５】
本発明は、複数の束金種の小束紙幣の入出庫を容易かつ短時間で行うことができる現金管理装置の提供を目的とする。
【課題を解決するための手段】
【０００６】
上記目的を達成するために、請求項１に係る発明は、現金管理装置本体と、該現金管理装置本体に対してスライド開閉可能に設けられ引き出された開状態で小束紙幣が入出庫可能となる複数の小束収納部と、小束収納部からの小束紙幣の取り出しを可能とする小束出庫モードおよび小束収納部への小束紙幣の収納を可能とする小束入庫モードの実行が可能であるとともに小束収納部の小束紙幣の入出庫を管理する制御手段とを有する現金管理装置であって、少なくとも一つの小束収納部が、一つにすべての束金種の小束紙幣を収納可能な全束金種収納部であり、前記制御手段は、前記全束金種収納部のすべての束金種の小束紙幣の入出庫を管理可能であることを特徴とする。
【０００７】
請求項２に係る発明は、請求項１に係る発明において、少なくとも一つの小束収納部が、一つに単一束金種の小束紙幣のみを収納する単一束金種収納部であることを特徴とする。
【０００８】
請求項３に係る発明は、請求項２に係る発明において、前記単一束金種収納部をすべての束金種分有することを特徴とする。
【０００９】
請求項４に係る発明は、請求項２または３に係る発明において、同じ束金種の前記単一束金種収納部を複数有することを特徴とする。
【００１０】
請求項５に係る発明は、請求項４に係る発明において、複数の同じ束金種の前記単一束金種収納部のうちの一つが新券束を収納し、残りが流通券束を収納することを特徴とする。
【００１１】
請求項６に係る発明は、請求項１乃至５のいずれか一項に係る発明において、少なくとも一つの小束収納部が、一つに所定の二つの束金種の小束紙幣のみを収納する二束金種収納部であることを特徴とする。
【００１２】
請求項７に係る発明は、請求項１乃至６のいずれか一項に係る発明において、少なくとも一つの小束収納部が、一つに新券の小束紙幣のみを収納する新券束収納部であることを特徴とする。
【００１３】
請求項８に係る発明は、請求項１乃至７のいずれか一項に係る発明において、大束紙幣を収納する大束収納部を有することを特徴とする。
【００１４】
請求項９に係る発明は、請求項１乃至８のいずれか一項に係る発明において、前記全束金種収納部に収納されているすべての小束紙幣の束金種と数量とを判別する判別手段が設けられていることを特徴とする。
【００１５】
請求項１０に係る発明は、請求項９に係る発明において、前記制御手段は、一度開状態とされた前記全束金種収納部が閉状態とされる際に前記判別手段によって前記全束金種収納部内のすべての小束紙幣の束金種と数量とを判別させることを特徴とする。
【００１６】
請求項１１に係る発明は、請求項１乃至１０のいずれか一項に係る発明において、前記制御手段は、前記全束金種収納部に対して一の前記小束出庫モードを実行する際に、当該一の小束出庫モードの実行開始に当たって操作手段に入力された取出内容に含まれる全束金種の小束紙幣が、当該一の小束出庫モードの一度のみの前記開状態で前記全束金種収納部から取り出し可能であることを特徴とする。
【００１７】
請求項１２に係る発明は、請求項１乃至１１のいずれか一項に係る発明において、前記制御手段は、前記全束金種収納部に対して一の前記小束入庫モードを実行する際に、当該一の小束入庫モードの実行開始に当たって操作手段に入力された収納内容に含まれる全束金種の小束紙幣が、当該一の小束入庫モードの一度のみの前記開状態で前記全束金種収納部に収納可能であることを特徴とする。
【００１８】
請求項１３に係る発明は、請求項１乃至１２のいずれか一項に係る発明において、前記制御手段は、小束紙幣の入出庫の内容をログ記憶手段に記憶させることを特徴とする。
【００１９】
請求項１４に係る発明は、請求項１乃至１３のいずれか一項に係る発明において、前記制御手段は、複数の小束収納部間での小束紙幣の移動を可能とする小束収納部間移動モードを実行可能であり、該小束収納部間移動モードの実行開始に当たって操作手段に入力された移動内容にしたがって移動元の小束収納部からの小束紙幣の取り出しおよび移動先の小束収納部への小束紙幣の収納を可能とするとともに移動元の小束収納部から移動先の小束収納部への小束紙幣の移動状況を管理することを特徴とする。
【００２０】
請求項１５に係る発明は、請求項１４に係る発明において、前記小束収納部間移動モードは、前記操作手段に前記移動内容の入力を受け付ける入力受付ステップと、入力された前記移動内容にしたがって移動元の小束収納部のロックを解除し該移動元の小束収納部を引き出し可能な状態とする移動元ロック解除ステップと、入力された前記移動内容にしたがって移動先の小束収納部のロックを解除し該移動先の小束収納部を引き出し可能な状態とする移動先ロック解除ステップと、前記移動元の小束収納部の小束紙幣の取り出し状況を確認する取出確認ステップと、前記移動先の小束収納部の小束紙幣の収納状況を確認する収納確認ステップと、を有することを特徴とする。
【００２１】
請求項１６に係る発明は、請求項１５に係る発明において、前記制御手段は、前記入力受付ステップにおいて、前記操作手段への移動元の小束収納部の指定入力時には移動元となり得る小束収納部のみを選択入力可能とすることを特徴とする。
【００２２】
請求項１７に係る発明は、請求項１５または１６に係る発明において、前記制御手段は、前記入力受付ステップにおいて、前記操作手段への移動先の小束収納部の指定入力時には移動先となり得る小束収納部のみを選択入力可能とすることを特徴とする。
【００２３】
請求項１８に係る発明は、請求項１５乃至１７のいずれか一項に係る発明において、前記制御手段は、前記入力受付ステップにおいて、移動元の小束収納部および移動先の小束収納部の現在の在高を表示手段に表示可能であることを特徴とする。
【００２４】
請求項１９に係る発明は、請求項１５乃至１８のいずれか一項に係る発明において、前記制御手段は、前記移動元ロック解除ステップの実行後に移動元の小束収納部が閉状態から開状態となり再び閉状態になると、前記移動先ロック解除ステップを実行することを特徴とする。
【００２５】
請求項２０に係る発明は、請求項１５乃至１９のいずれか一項に係る発明において、前記制御手段は、前記入力受付ステップにおいて入力された移動元の小束収納部から取り出されるべき小束紙幣の内容と、前記取出確認ステップにおいて確認した当該移動元の小束収納部から実際に取り出された小束紙幣の内容との一致を判定することを特徴とする。
【００２６】
請求項２１に係る発明は、請求項１５乃至２０のいずれか一項に係る発明において、前記制御手段は、前記入力受付ステップにおいて入力された移動先の小束収納部へ収納されるべき小束紙幣の内容と、前記収納確認ステップにおいて確認した当該移動先の小束収納部に実際に収納された小束紙幣の内容との一致を判定することを特徴とする。
【００２７】
請求項２２に係る発明は、請求項１４乃至２１のいずれか一項に係る発明において、前記制御手段は、一つの小束収納部内での小束紙幣の移動を可能とする小束収納部内移動モードを実行可能であることを特徴とする。
【００２８】
請求項２３に係る発明は、請求項１４乃至２２のいずれか一項に係る発明において、前記制御手段は、小束紙幣の移動内容をログ記憶手段に記憶させることを特徴とする。
【発明の効果】
【００２９】
請求項１に係る発明によれば、少なくとも一つの小束収納部が、一つにすべての束金種の小束紙幣を収納可能な全束金種収納部であり、制御手段が、全束金種収納部のすべての束金種の小束紙幣の入出庫を管理可能であるため、この全束金種収納部に対し、束金種のあらゆる組み合わせを一度に入出庫することができる。したがって、複数の束金種の小束紙幣の入出庫を容易かつ短時間で行うことができる。
【００３０】
請求項２に係る発明によれば、少なくとも一つの小束収納部が、一つに単一束金種の小束紙幣のみを収納する単一束金種収納部であるため、この単一束金種収納部に、その収納対象の単一束金種の小束紙幣を一度に大量に入出庫可能となる。したがって、単一束金種の小束紙幣の大量の入出庫を容易かつ短時間で行うことが可能となる。
【００３１】
請求項３に係る発明によれば、単一束金種収納部をすべての束金種分有するため、すべての束金種について、単一金種の小束紙幣の大量の入出庫が一度で可能になる。したがって、すべての束金種について、単一束金種の小束紙幣の大量の入出庫を容易かつ短時間で行うことが可能となる。
【００３２】
請求項４に係る発明によれば、同じ束金種の単一束金種収納部を複数有するため、さらに大量の入出庫に対しても対応可能となる。
【００３３】
請求項５に係る発明によれば、複数の同じ束金種の単一束金種収納部のうちの一つが新券束を収納し、残りが流通券束を収納するため、新券束を収納する一つの小束収納部に対し新券束を一度に入出庫可能となる。したがって、新券束の入出庫を容易かつ短時間で行うことが可能となる。
【００３４】
請求項６に係る発明によれば、少なくとも一つの小束収納部が、一つに所定の二つの束金種の小束紙幣のみを収納する二束金種収納部であるため、収納の自由度を向上させることができる。
【００３５】
請求項７に係る発明によれば、少なくとも一つの小束収納部が、一つに新券の小束紙幣のみを収納する新券束収納部であるため、新券束の大量の入出庫を容易かつ短時間で行うことが可能となる。
【００３６】
請求項８に係る発明によれば、大束紙幣を収納する大束収納部を有するため、小束収納部への同一束金種の大量の補充を容易かつ短時間で行うことが可能となる。
【００３７】
請求項９に係る発明によれば、全束金種収納部に収納しているすべての小束紙幣の束金種と数量とを判別する判別手段が設けられているため、全束金種収納部内の小束紙幣の束金種および数量を管理することができる。
【００３８】
請求項１０に係る発明によれば、一度開状態とされた全束金種収納部が閉状態とされる際に判別手段によって全束金種収納部内のすべての小束紙幣の束金種と数量とを判別させるため、判別手段を移動させることなく、全束金種収納部内の小束紙幣の束金種および数量を把握することができる。
【００３９】
請求項１１に係る発明によれば、全束金種収納部に対して一の小束出庫モードを実行する際に、当該一の小束出庫モードの実行開始に当たって操作手段に入力された取出内容に含まれる全束金種の小束紙幣が、当該一の小束出庫モードの一度のみの開状態で全束金種収納部から取り出し可能であるため、この全束金種収納部から束金種のあらゆる組み合わせを一度に出庫することができる。したがって、複数の束金種の小束紙幣からの出庫を容易かつ短時間で行うことが確実にできる。
【００４０】
請求項１２に係る発明によれば、全束金種収納部に対して一の小束入庫モードを実行する際に、当該一の小束入庫モードの実行開始に当たって操作手段に入力された収納内容に含まれる全束金種の小束紙幣が、当該一の小束入庫モードの一度のみの開状態で全束金種収納部に収納可能であるため、この全束金種収納部に束金種のあらゆる組み合わせを一度に入庫することができる。したがって、複数の束金種の小束紙幣への入庫を容易かつ短時間で行うことが確実にできる。
【００４１】
請求項１３に係る発明によれば、小束紙幣の入出庫の内容をログ記憶手段に記憶させるため、小束紙幣の入出庫の内容を後で確認することができる。したがって、入出庫のミスや不正行為を防止することができる。
【００４２】
請求項１４に係る発明によれば、制御手段が、複数の小束収納部間での小束紙幣の移動を可能とする小束収納部間移動モードを実行可能であり、この小束収納部間移動モードの実行開始に当たって操作手段に入力された移動内容にしたがって移動元の小束収納部からの小束紙幣の取り出しおよび移動先の小束収納部への小束紙幣の収納を可能とするとともに移動元の小束収納部から移動先の小束収納部への小束紙幣の移動状況を管理するため、操作数を減らすことが可能となる。したがって、小束紙幣の移動処理を容易かつ正確に短時間で行うことが可能となる。
【００４３】
請求項１５に係る発明によれば、入力受付ステップでは操作手段に移動内容の入力を受け付けることになり、移動元ロック解除ステップでは、入力された移動内容にしたがって移動元の小束収納部のロックを解除しこの小束収納部を引き出し可能な状態とすることになる。これにより操作者が移動元の小束収納部を引き出して小束紙幣を取り出すことになる。また、移動先ロック解除ステップでは、入力された移動内容にしたがって移動先の小束収納部のロックを解除しこの小束収納部を引き出し可能な状態とすることになる。これにより操作者が移動先の小束収納部を引き出して、上記のように移動元の小束収納部から取り出した小束紙幣を収納することになる。また、取出確認ステップでは、移動元の小束収納部の小束紙幣の取り出し状況を確認することになり、収納確認ステップでは、移動先の小束収納部の小束紙幣の収納状況を確認することになる。よって、操作数を確実に減らすことができる。したがって、小束紙幣の移動処理を容易かつ正確に短時間で行うことが確実にできる。
【００４４】
請求項１６に係る発明によれば、制御手段が、入力受付ステップにおいて、操作手段への移動元の小束収納部の指定入力時には移動元となり得る小束収納部のみを選択入力可能とするため、移動元の選択ミスを減らすことができる。したがって、小束紙幣の移動処理を容易かつ正確に短時間で行うことが一層確実にできる。
【００４５】
請求項１７に係る発明によれば、制御手段は、入力受付ステップにおいて、操作手段への移動先の小束収納部の指定入力時には移動先となり得る小束収納部のみを選択入力可能とするため、移動先の選択ミスを減らすことができる。したがって、小束紙幣の移動処理を容易かつ正確に短時間で行うことが一層確実にできる。
【００４６】
請求項１８に係る発明によれば、制御手段が、入力受付ステップにおいて、移動元の小束収納部および移動先の小束収納部の現在の在高を表示手段に表示可能であるため、移動元の小束収納部および移動先の小束収納部の現在の在高を表示手段に表示させることで、移動元および移動先の選択ミスをさらに減らすことができる。したがって、小束紙幣の移動処理を容易かつ正確に短時間で行うことが一層確実にできる。
【００４７】
請求項１９に係る発明によれば、移動元ロック解除ステップの実行後に移動元の小束収納部が閉状態から開状態となり再び閉状態になると、制御手段が、移動先ロック解除ステップを自動的に実行することになるため、さらに操作数を減らすことができる。したがって、小束紙幣の移動処理を容易かつ正確に短時間で行うことが一層確実にできる。
【００４８】
請求項２０に係る発明によれば、制御手段が、入力受付ステップにおいて入力された移動元の小束収納部から取り出されるべき小束紙幣の内容と、取出確認ステップにおいて確認した当該移動元の小束収納部から実際に取り出された小束紙幣の内容との一致を判定するため、例えば不一致の場合にアラームを発生させることにより、移動元の小束収納部からの取り出しミスや不正行為を防止することができる。
【００４９】
請求項２１に係る発明によれば、制御手段が、入力受付ステップにおいて入力された移動先の小束収納部へ収納されるべき小束紙幣の内容と、収納確認ステップにおいて確認した当該移動先の小束収納部に実際に収納された小束紙幣の内容との一致を判定するため、例えば不一致の場合にアラームを発生させることにより、移動先の小束収納部への収納ミスや不正行為を防止することができる。
【００５０】
請求項２２に係る発明によれば、制御手段が、小束収納部内移動モードを実行することで、一つの小束収納部内での小束紙幣の移動が可能となり、一つの小束収納部内での小束紙幣の整理を行うことができる。
【００５１】
請求項２３に係る発明によれば、小束紙幣の移動内容をログ記憶手段に記憶させるため、小束紙幣の移動内容を後で確認することができる。したがって、移動のミスや不正行為を防止することができる。
【図面の簡単な説明】
【００５２】
【図１】本発明の一実施形態に係る現金管理装置を示す斜視図である。
【図２】本発明の一実施形態に係る現金管理装置を示す制御系のブロック図である。
【図３】本発明の一実施形態に係る現金管理装置の小束収納部を示す斜視図である。
【図４】本発明の一実施形態に係る現金管理装置の小束収納部近傍を示す部分斜視図である。
【図５】本発明の一実施形態に係る現金管理装置の小束収納部を示す平面図であって、（Ａ）は現金管理装置本体に配置される小束セット検知センサとの対応関係を示すもの、（Ｂ）は現金管理装置本体に配置される左端検出ラインセンサ、左側帯検出ラインセンサ、右側帯検出ラインセンサおよび右端検出ラインセンサとの対応関係を示すものである。
【図６】本発明の一実施形態に係る現金管理装置の収納部近傍を示す側面図である。
【図７】本発明の一実施形態に係る現金管理装置の収納部の前部近傍を示す部分斜視図である。
【図８】本発明の一実施形態に係る現金管理装置の収納部の後部近傍を示す側面図である。
【図９】本発明の一実施形態に係る現金管理装置の入力受付ステップでの表示部の移動元選択画面の表示内容を示す正面図である。
【図１０】本発明の一実施形態に係る現金管理装置の入力受付ステップでの表示部の移動先選択画面の表示内容を示す正面図である。
【図１１】本発明の一実施形態に係る現金管理装置の入力受付ステップでの表示部の数量入力画面の表示内容を示す正面図である。
【図１２】本発明の一実施形態に係る現金管理装置の入力受付ステップでの表示部の在高表示画面の表示内容を示す正面図である。
【図１３】本発明の一実施形態に係る現金管理装置の移動元ロック解除ステップでの表示部の表示内容を示す正面図である。
【図１４】本発明の一実施形態に係る現金管理装置の移動先ロック解除ステップでの表示部の表示内容を示す正面図である。
【図１５】本発明の一実施形態に係る現金管理装置の収納部間移動処理後の印字内容の一例を示す正面図である。
【発明を実施するための形態】
【００５３】
本発明の一実施形態に係る現金管理装置を図面を参照して以下に説明する。
【００５４】
本実施形態に係る現金管理装置１０は、店舗の係員側スペースに設置されて係員により取り扱われるものであり、より窓口カウンタに近い位置で用いられる。現金管理装置１０は、現金として主に小束紙幣を入出庫可能に収納する収納庫型の装置である。なお、本実施形態に係る現金管理装置１０では収納しないが、小束紙幣に加えて棒金硬貨を入出庫可能に収納しても良い。
【００５５】
現金管理装置１０は、箱型の現金管理装置本体１１と、この現金管理装置本体１１に上下方向に複数段具体的には１０段設けられた収納部１２とを有している。これら収納部１２は、それぞれが、左右側壁に設けられたスライドレール１３を介して現金管理装置本体１１に対して水平方向に沿ってスライド開閉可能となっている。これら収納部１２は、前方に引き出され、後方に押し込まれることになり、このように前後方向にのみ所定範囲で移動可能となるように現金管理装置本体１１に連結されている。すべての収納部１２は、いずれも現金管理装置本体１１から引き出された開状態で現金が入出庫可能、つまり係員による現金の装置内への収納（入庫）および装置外への取り出し（出庫）が可能となる。言い換えれば、すべての収納部１２は、現金管理装置本体１１に押し込まれた閉状態では現金の入出庫が不可となっている。
【００５６】
収納部１２のうち、最上段のものは、予備収納部１２（ａ）となっており、結束されていないバラ紙幣および汚損紙幣等の現金と金券等を収納する。また、上から２〜９段の８つは、小束紙幣を収納する小束収納部１２（ｂ）となっており、最下段の１つは、大束紙幣を収納する大束収納部１２（ｃ）となっている。小束紙幣は、一束が所定枚数（１００枚）の単一金種の紙幣からなっており、大束紙幣は、一つが所定束数（１０束）の単一金種の小束紙幣からなっている。
【００５７】
具体的に、収納部１２のうち、上から２段目の小束収納部１２（ｂ）−１は、一段つまり一つにすべての束金種の小束紙幣を収納可能な全束金種収納部となっている。よって、小束収納部１２（ｂ）−１が一度開状態となれば、この一度の開状態のみで、全束金種の小束紙幣が小束収納部１２（ｂ）−１から取り出し可能となり、全束金種の小束紙幣が小束収納部１２（ｂ）−１に収納可能となる。ここで、すべての束金種とは、現時点で日本国内において少なくとも金融機関から小束紙幣の状態で顧客に出金することがあるすべての金種であり、具体的には、万円券の小束紙幣、五千円券の小束紙幣、二千円券の小束紙幣および千円券の小束紙幣の４種類である。小束収納部１２（ｂ）−１に収納される小束紙幣はすべて流通券の小束紙幣となっている。
【００５８】
また、収納部１２のうち、上から３段目の小束収納部１２（ｂ）−２は、一つに単一束金種である万円券の小束紙幣のみを収納する単一束金種収納部となっており、上から４段目の小束収納部１２（ｂ）−３も、一つに単一束金種である万円券の小束紙幣のみを収納する単一束金種収納部となっている。つまり、現金管理装置１０は、同じ束金種の単一束金種収納部を複数有している。小束収納部１２（ｂ）−２，１２（ｂ）−３のそれぞれに収納される小束紙幣もすべて流通券の小束紙幣となっている。
【００５９】
また、収納部１２のうち、上から５段目の小束収納部１２（ｂ）−４は、一つに単一束金種である千円券の小束紙幣のみを収納する単一束金種収納部となっており、上から６段目の小束収納部１２（ｂ）−５は、一つに単一束金種である五千円券の小束紙幣のみを収納する単一束金種収納部となっている。また、収納部１２のうち、上から７段目の小束収納部１２（ｂ）−６は、一つに単一束金種である二千円券の小束紙幣のみを収納する単一束金種収納部となっている。つまり、現金管理装置１０は、単一束金種収納部をすべての束金種分有している。小束収納部１２（ｂ）−４〜１２（ｂ）−６のそれぞれに収納される小束紙幣もすべて流通券の小束紙幣となっている。
【００６０】
また、収納部１２のうち、上から８段目の小束収納部１２（ｂ）−７は、一つに所定の二つの束金種である万円券の小束紙幣および千円券の小束紙幣のみを収納する二束金種収納部となっている。小束収納部１２（ｂ）−７に収納される小束紙幣もすべて流通券の小束紙幣となっている。なお、小束収納部１２（ｂ）−７に、いずれも使用頻度が低い五千円券の小束紙幣および二千円券の小束紙幣の二つの束金種のみを収納しても良い。この場合、上記した６段目の小束収納部１２（ｂ）−５を、五千円券ではなく、使用頻度が高い千円券の流通券の小束紙幣のみを収納する単一束金種収納部としたり、使用頻度が高い万円券の流通券の小束紙幣のみを収納する単一束金種収納部としたりでき、７段目の小束収納部１２（ｂ）−６を、二千円券ではなく、千円券の流通券の小束紙幣のみを収納する単一束金種収納部としたり、万円券の流通券の小束紙幣のみを収納する単一束金種収納部としたりすることができる。このように構成すれば、万円券の小束紙幣を３段の小束収納部１２（ｂ）に収納し且つ千円券の小束紙幣を２段の小束収納部１２（ｂ）に収納したり、万円券の小束紙幣を２段の小束収納部１２（ｂ）に収納し且つ千円券の小束紙幣を３段の小束収納部１２（ｂ）に収納したりすることができる。
【００６１】
上から９段目の小束収納部１２（ｂ）−８は、一つに単一束金種である万円券の小束紙幣のみを収納する単一束金種収納部となっている。この小束収納部１２（ｂ）−８に収納される小束紙幣はすべて新券の小束紙幣となっている。つまり、小束収納部１２（ｂ）−８は、一つに新券の小束紙幣のみを収納する新券束収納部となっている。
【００６２】
大束収納部１２（ｃ）は、例えば所定の二つの束金種である万円券の大束紙幣および千円券の大束紙幣を収納している。
【００６３】
勿論、収納部１２の全体の数や、全束金種収納部に設定される小束収納部１２（ｂ）の数、単一束金種収納部に設定される小束収納部１２（ｂ）の数および収納金種、二束金種収納部に設定される小束収納部１２（ｂ）の数および収納金種、新券束収納部に設定される小束収納部１２（ｂ）の数および収納金種、大束収納部１２（ｃ）の数および収納金種等は、任意に設定可能である。
【００６４】
現金管理装置本体１１の上部には、窓口担当者等の操作者によって操作入力がなされるとともに操作者に対して表示を行う操作表示部１５と、データを紙面への印字により出力するプリンタ１６とが設けられている。操作表示部１５は、操作者に対して操作ガイダンスや管理データ等の情報を表示する表示部（表示手段）１７と、操作者のＩＤカードを走査するカードリーダ１８と、操作者により操作されるキーボード等の操作部（操作手段）１９と、操作者に対して音声を出力する音声発生部２０とを有している。
【００６５】
現金管理装置本体１１には、複数の収納部１２のそれぞれに対して、収納部１２を閉状態で個別にロックする図２に示すロック機構２２が一対一で対応するように設けられており、図１に示す複数の収納部１２のそれぞれの高さ位置が合う側方に、ロック機構２２のロック解除時のみ点滅する表示灯２３が一対一で対応するように設けられている。さらに、現金管理装置本体１１には、図２に示すように、操作表示部１５、プリンタ１６、ロック機構２２および表示灯２３に接続されてこれらを制御するとともに複数の収納部１２のそれぞれの紙幣等の入出庫を管理する制御部（制御手段）２５と、複数の収納部１２のそれぞれに収納している小束紙幣の数量情報および金種情報や処理関連のデータ等を記憶する記憶部（ログ記憶手段）２６とが設けられている。
【００６６】
収納部１２は、図３に示すように、取っ手３０が中央に設けられた前板部３１と、前板部３１の左右両側から後方に延出する一対の側板部３２と、一対の側板部３２の後端部同士を連結する後板部３３とを有する枠体３４を有している。
【００６７】
図３に示すように、小束収納部１２（ｂ）は、結束された小束紙幣Ｔを入出庫可能に収納するもので、上記した枠体３４内に固定される複数、具体的には前後に５つ左右に２列の合成樹脂製の小束トレイ４０を有している。小束紙幣Ｔは、単一金種の紙幣を所定枚数（１００枚）集積し、規定位置に結束テープｔを巻回して、この結束テープｔを接着することで形成されている。
【００６８】
各小束トレイ４０は、機体前後方向に対し直交して立設された前壁部４１と、機体前後方向に対し直交して立設された後壁部４２と、機体左右方向に対し直交して立設された左右一対の側壁部４３と、これらで囲まれた部分の下部を閉塞する水平に沿う底部４４とを有し、上方に開口し下方に凹む形状をなすトレイ本体４５と、トレイ本体４５の底部４４に、前壁部４１および後壁部４２と平行を維持しつつ前後移動可能に設けられた札押さえ板４６と、札押さえ板４６を後壁部４２に向けて付勢する図示略の付勢部材とを有している。トレイ本体４５の底部４４には、札押さえ板４６のスライドを案内するスライド溝４７と、小束紙幣Ｔのセット検知用のセンサ溝４８とが、前後方向に延在し上下方向に貫通するように形成されている。
【００６９】
各小束トレイ４０には、小束紙幣Ｔが、その長辺方向を左右にし短辺方向を上下にし厚さ方向を前後にした立位状態で、上方から挿入されることになり、小束紙幣Ｔは、この立位状態のまま、底部４４に載置され、後壁部４２と札押さえ板４６とに挟持されて収納されることになる。小束トレイ４０には、小束紙幣Ｔが１束から１０束まで収納可能であり、複数の小束紙幣Ｔは、上記立位状態のまま前後方向に重ねられて後壁部４２と札押さえ板４６とに挟持されることになる。つまり、小束トレイ４０には、後壁部４２と、札押さえ板４６と、一対の側壁部４３と、底部４４とで、下方に凹む上方開口形状の束収納凹部４９が形成されることになり、小束紙幣Ｔは、束収納凹部４９にその上部開口を介して上方から挿入されて収納される。一つの小束トレイ４０には束収納凹部４９が一カ所のみ形成されている。
【００７０】
なお、各小束トレイ４０は、それぞれ予め設定された単一金種の小束紙幣Ｔのみが束収納凹部４９に収納されるように決められており、小束収納部１２（ｂ）には、それぞれに収納する束金種に応じた束収納凹部４９を有する小束トレイ４０が設けられている。具体的に、小束収納部１２（ｂ）−１は、万円券の小束紙幣Ｔのみを収納する束収納凹部４９が形成された小束トレイ４０と、五千円券の小束紙幣Ｔのみを収納する束収納凹部４９が形成された小束トレイ４０と、二千円券の小束紙幣Ｔのみを収納する束収納凹部４９が形成された小束トレイ４０と、千円券の小束紙幣Ｔのみを収納する束収納凹部４９が形成された小束トレイ４０とを有している。
【００７１】
また、小束収納部１２（ｂ）−２，１２（ｂ）−３は、万円券の小束紙幣Ｔのみを収納する束収納凹部４９が形成された小束トレイ４０のみを有している。また、小束収納部１２（ｂ）−４は、千円券の小束紙幣Ｔのみを収納する束収納凹部４９が形成された小束トレイ４０のみを有しており、小束収納部１２（ｂ）−５は、五千円券の小束紙幣Ｔのみを収納する束収納凹部４９が形成された小束トレイ４０のみを有している。また、小束収納部１２（ｂ）−６は、二千円券の小束紙幣Ｔのみを収納する束収納凹部４９が形成された小束トレイ４０のみを有しており、小束収納部１２（ｂ）−７は、万円券の小束紙幣Ｔのみを収納する束収納凹部４９が形成された小束トレイ４０および千円券の小束紙幣Ｔのみを収納する束収納凹部４９が形成された小束トレイ４０のみを有している。また、小束収納部１２（ｂ）−８は、万円券の小束紙幣Ｔのみを収納する束収納凹部４９が形成された小束トレイ４０のみを有している。
【００７２】
各小束トレイ４０の束収納凹部４９を構成する一対の側壁部４３間の幅は、収納対象金種の小束紙幣Ｔの長さよりも若干広い幅となっている。また、各小束トレイ４０の束収納凹部４９を構成する底部４４の高さは、いずれの小束トレイ４０においても収納対象金種の小束紙幣Ｔを載置した場合にその上端部の小束収納部１２（ｂ）での上端部の高さ位置が一定するように設定されている。つまり、高さ（短辺方向長さ）が低い小束紙幣Ｔを収納する小束トレイ４０は、これが配置された小束収納部１２（ｂ）での底部４４の高さ位置が高くなっており、高さが高い小束紙幣Ｔを収納する小束トレイ４０は、これが配置された小束収納部１２（ｂ）での底部４４の高さ位置が低くなっている。ただし、各束収納凹部４９の底部４４までの深さは、収納した小束紙幣Ｔを取り出し容易とすべく上方に突出させるように設定されている。
【００７３】
小束トレイ４０の束収納凹部４９には、設定金種以外の長さの長い金種の小束紙幣Ｔと、設定金種以外の高さの高い金種の小束紙幣Ｔとは、適正な収納が困難となり、これにより、一部の誤収納を簡易的に規制するようになっている。つまり、設定金種の小束紙幣Ｔよりも長さの長い小束紙幣Ｔは、一対の側壁部４３間で折れ曲がって収納が困難となり、設定金種の小束紙幣Ｔよりも高さの高い小束紙幣Ｔは、直ぐ上にある収納部１２の前板部３１に干渉して、この小束紙幣Ｔが収納された小束収納部１２（ｂ）の現金管理装置本体１１への押し込みを阻害する。各束収納凹部４９には、それぞれの側壁部４３の上面に、収納対象の金種を目視可能に明示する金種明示部５０が設けられている。なお、日本国内で流通する紙幣の場合は、全種類、高さが一定であることから、すべての小束トレイ４０の小束収納部１２（ｂ）における底部４４の高さ位置も一定となる。各小束トレイ４０に収納すべき設定金種を示す収納金種データは、予め設定されて記憶部２６に記憶されることになる。
【００７４】
図４に示すように、現金管理装置本体１１の収納部１２が挿入される収納部挿入空間形成部６５のうち小束収納部１２（ｂ）が挿入されるすべての収納部挿入空間形成部６５の下部の前端部には、図３に示す小束収納部１２（ｂ）の左右２列の小束トレイ４０のそれぞれのセンサ溝４８の直ぐ下側となる位置に、センサ溝４８を介して小束紙幣Ｔのセット検知を行う光学反射型の小束セット検知センサ６６が位置固定で設けられている。なお、各センサ溝４８は、束収納凹部４９における小束紙幣Ｔの結束テープｔが所定の一側（左側）にあるときの、結束テープｔの位置に合わせて形成されており、よって、各小束セット検知センサ６６も、図５（Ａ）に示すように、束収納凹部４９における小束紙幣Ｔの結束テープｔが所定の一側（左側）にあるときの、結束テープｔの位置に合わせて配置されている。なお、センサ溝４８は他側である右側にあっても、左右両側にあっても良く、いずれの場合であっても、小束セット検知センサ６６はセット検知だけではなく、帯である結束テープｔの検出センサの補助としても機能する。例えば、左側に小束セット検知センサ６６があったときに、結束テープｔも左側にあれば、小束セット検知センサ６６がその結束テープｔも検出でき、逆に結束テープｔが右側であれば、小束セット検知センサ６６が左側に結束テープｔがないことを検出できる。
【００７５】
また、図４に示すように、現金管理装置本体１１の収納部１２が挿入される収納部挿入空間形成部６５のうち小束収納部１２（ｂ）が挿入されるすべての収納部挿入空間形成部６５の上部の前端部には、小束収納部１２（ｂ）の左右２列の小束トレイ４０のそれぞれの上方近接位置に、図５（Ｂ）にも示すように、小束紙幣Ｔの左端位置を検出する左端検出ラインセンサ６７、小束紙幣Ｔの左側に結束テープｔつまり帯がある場合にこれを検出する左側帯検出ラインセンサ６８、小束紙幣Ｔの右側に結束テープｔがある場合にこれを検出する右側帯検出ラインセンサ６９および小束紙幣Ｔの右端位置を検出する右端検出ラインセンサ７０の４つのセンサが位置固定で設けられている。左端検出ラインセンサ６７、左側帯検出ラインセンサ６８、右側帯検出ラインセンサ６９および右端検出ラインセンサ７０は検出素子を左右方向に並べた光学反射型のラインセンサとなっている。
【００７６】
小束セット検知センサ６６は、１つの小束収納部１２（ｂ）に対し左右方向に並べられて２個設けられ、また、左端検出ラインセンサ６７、左側帯検出ラインセンサ６８、右側帯検出ラインセンサ６９および右端検出ラインセンサ７０の組が、１つの小束収納部１２（ｂ）に対し左右方向に並べられて２組設けられている。
【００７７】
小束セット検知センサ６６は、発光素子が検出方向を上方に向けており、上方に発光した光の上方からの反射光を対応する受光素子で受光するようになっている。その結果、各小束収納部１２（ｂ）のそれぞれの直ぐ下に設けられた小束セット検知センサ６６が、これらの直ぐ上で前後にスライドする小束収納部１２（ｂ）の各束収納凹部４９に収納された小束紙幣Ｔの下端部の反射光データである貨幣検出反射データをセンサ溝４８を介して取得することになる。
【００７８】
左端検出ラインセンサ６７、左側帯検出ラインセンサ６８、右側帯検出ラインセンサ６９および右端検出ラインセンサ７０は、各発光素子が検出方向を下方に向けており、下方に発光した光の下方からの反射光を対応する受光素子で受光するようになっている。その結果、各小束収納部１２（ｂ）のそれぞれの直ぐ上に設けられた左端検出ラインセンサ６７、左側帯検出ラインセンサ６８、右側帯検出ラインセンサ６９および右端検出ラインセンサ７０が、これらの直ぐ下で前後にスライドする小束収納部１２（ｂ）の各束収納凹部４９に収納された小束紙幣Ｔの上端部の反射光データである貨幣検出反射データを取得することになる。
【００７９】
なお、検出対象となる小束収納部１２（ｂ）が最も現金管理装置本体１１から引き出されて図示略の前端位置ストッパに当接し停止する前端位置から最も現金管理装置本体１１に押し込まれて図示略の後端位置ストッパに当接し停止する後端位置まで移動すると、小束セット検知センサ６６、左端検出ラインセンサ６７、左側帯検出ラインセンサ６８、右側帯検出ラインセンサ６９および右端検出ラインセンサ７０は、検出対象となる小束収納部１２（ｂ）の各束収納凹部４９の前後方向の全範囲を検出できるようになっている。小束セット検知センサ６６は、小束収納部１２（ｂ）の開閉に伴って通過する、この小束収納部１２（ｂ）内の小束紙幣Ｔの下端部から貨幣検出反射データを取得することになり、左端検出ラインセンサ６７、左側帯検出ラインセンサ６８、右側帯検出ラインセンサ６９および右端検出ラインセンサ７０は、小束収納部１２（ｂ）の開閉に伴って通過する、この小束収納部１２（ｂ）内の小束紙幣Ｔの上端部から貨幣検出反射データを取得することになる。
【００８０】
ここで、制御部２５は、小束セット検知センサ６６の貨幣検出反射データから、反射光量が多いセンサ溝４８上の紙幣あるいは結束テープｔと、紙幣がなく反射光量が少なくなる他の部分（センサ溝４８上の空間、センサ溝４８以外の部分）とを区別することで、小束紙幣Ｔが収納されている範囲を検出する。
【００８１】
また、小束紙幣Ｔには、一束ずつに結束テープｔが巻回されており、この結束テープｔが上端部にも存在することから、制御部２５は、左側帯検出ラインセンサ６８および右側帯検出ラインセンサ６９の貨幣検出反射データから、反射光量が多い結束テープｔと、結束テープｔが巻回されず反射光量が少なくなる紙幣部分と、紙幣がなく反射光量がさらに少なくなる他の部分（束収納凹部４９内外の空間）とを区別することになる。
【００８２】
また、制御部２５は、左側帯検出ラインセンサ６８および右側帯検出ラインセンサ６９の貨幣検出反射データから、隣り合う小束紙幣Ｔの結束テープｔと結束テープｔとの間の反射光量が少なくなる部分や、隣り合う小束紙幣Ｔの結束テープｔと紙幣との間の反射光量が少なくなる部分を検出することで、隣り合う小束紙幣Ｔの間部分を検出する。
【００８３】
さらに、制御部２５は、左端検出ラインセンサ６７および右端検出ラインセンサ７０の貨幣検出反射データから、反射光量が多い紙幣部分と、紙幣がなく反射光量が少なくなる他の部分（束収納凹部４９内外の空間）とを区別することで、紙幣部分の端部を検出した各受光素子の位置から小束紙幣Ｔの長さ方向の両端部の位置を検出する。
【００８４】
制御部２５は、後述するロータリエンコーダ８８で検知ディスク８７のスリットを検知する毎に小束セット検知センサ６６、左端検出ラインセンサ６７、左側帯検出ラインセンサ６８、右側帯検出ラインセンサ６９および右端検出ラインセンサ７０のそれぞれの貨幣検出反射データを取り込むことになり、取り込んだそれぞれの貨幣検出反射データを、後述するロータリエンコーダ８８の開閉位相データに基づいて、例えば所定の一定開閉速度での貨幣検出反射データに補正する。
【００８５】
そして、制御部２５は、小束セット検知センサ６６で小束紙幣Ｔが検出されている範囲を基準として検出範囲を設定し、この検出範囲における、左側帯検出ラインセンサ６８および右側帯検出ラインセンサ６９の補正後の貨幣検出反射データと、記憶部２６に記憶された小束紙幣Ｔ用の数量マスタデータとを照合することで、小束収納部１２（ｂ）内の小束紙幣Ｔの数量である数量検出データを取得する。例えば、補正後の貨幣検出反射データの中で、一つの結束テープｔと判断できる、数量マスタデータの結束テープ判断基準光量データ以上の光量があり且つ数量マスタデータの結束テープ判断基準面積データ以上の纏まった面積を有する結束テープ部分を数えて、これを小束紙幣Ｔの数量である数量検出データとする。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの数量検出データを取得する。
【００８６】
また、制御部２５は、上記検出範囲における、左端検出ラインセンサ６７および右端検出ラインセンサ７０の補正後の貨幣検出反射データと、記憶部２６に記憶された金種マスタデータとを照合することで、小束収納部１２（ｂ）内の小束紙幣Ｔの金種である金種検出データを取得する。例えば、左端検出ラインセンサ６７および右端検出ラインセンサ７０の補正後の貨幣検出反射データの中で、上記のように検出した結束テープ部分と前後方向位置が同じ部分のデータから、光量が金種マスタデータの紙幣判断基準光量データ以上となる部分と未満となる部分との境界位置を割り出し、左右両側の境界位置間の長さを、金種マスタデータの金種基準長さデータと比較して、許容範囲内で一致する金種基準長さデータに対応する金種を、この結束テープ部分に対応する小束紙幣Ｔの金種とする金種検出データを取得する金種判断を行う。勿論、制御部２５は、小束セット検知センサ６６、左端検出ラインセンサ６７、左側帯検出ラインセンサ６８、右側帯検出ラインセンサ６９および右端検出ラインセンサ７０の左側の組と、小束セット検知センサ６６、左端検出ラインセンサ６７、左側帯検出ラインセンサ６８、右側帯検出ラインセンサ６９および右端検出ラインセンサ７０の右側の組とのそれぞれについて、別々に、小束紙幣Ｔの束金種を示す金種検出データを取得する。
【００８７】
小束セット検知センサ６６、左端検出ラインセンサ６７、左側帯検出ラインセンサ６８、右側帯検出ラインセンサ６９および右端検出ラインセンサ７０の組の左右二組が、小束収納部１２（ｂ）に収納されているすべての小束紙幣Ｔの束金種と数量とを判別する判別部（判別手段）９４を構成しており、このような判別部９４がすべての小束収納部１２（ｂ）にそれぞれ設けられている。そして、制御部２５は、複数の小束収納部１２（ｂ）のそれぞれに対して設けられた判別部９４により検出された小束紙幣Ｔの数量検出データおよび金種検出データから、複数の小束収納部１２（ｂ）のそれぞれに収納されているすべての小束紙幣の入出庫を管理可能となっている。つまり、制御部２５は、全束金種収納部である小束収納部１２（ｂ）−１に収納されているすべての束金種の小束紙幣の入出庫を管理可能であり、小束収納部１２（ｂ）−２〜１２（ｂ）−６に収納されている単一束金種の小束紙幣の入出庫を管理可能であり、小束収納部１２（ｂ）−７に収納されている二つの束金種の小束紙幣の入出庫を管理可能である。
【００８８】
なお、制御部２５は、小束収納部１２（ｂ）内のすべての束収納凹部４９について、左端検出ラインセンサ６７および右端検出ラインセンサ７０で検出される規定の金種以外の金種の小束紙幣Ｔが収納されていること、つまり対応金種の収納位置に収納されていない異金種小束紙幣Ｔを検出すると、表示部１７に警告表示を行わせ、音声発生部２０で警告音を発生させる。
【００８９】
現金管理装置本体１１には、小束収納部１２（ｂ）が挿入されるすべての収納部挿入空間形成部６５のそれぞれの前端位置と後端位置とに、図６に示すように、支持軸８１，８２を介して歯付プーリ８３，８４が位置固定で回転可能に設けられており、後端の歯付プーリ８４の上側にも、支持軸８５を介して歯付プーリ８６が位置固定で回転可能に設けられている。支持軸８５には、所定の等間隔でスリットが形成された検知ディスク８７が歯付プーリ８６と一体回転するように設けられており、現金管理装置本体１１には、検知ディスク８７の上側に検知ディスク８７の回転を検知するロータリエンコーダ８８が位置固定で設けられている。なお、ロータリエンコーダ８８は、検知ディスク８７のスリットの検知数から検知ディスク８７の回転量を検知することになり、単位時間当たりのスリットの検知数から検知ディスク８７の回転速度を検知することになる。
【００９０】
そして、三つの歯付プーリ８３，８４，８６にはタイミングベルト９１が巻回されており、このタイミングベルト９１には、収納部１２のうちの挿入されたものの後端部が固定されている。これにより、収納部１２が開閉されるとこれに連動してタイミングベルト９１が回転して三つの歯付プーリ８３，８４，８６および検知ディスク８７を回転させることになり、よって、ロータリエンコーダ８８が、検知ディスク８７の回転データである個別の収納部１２の開閉位相データを取得することになる。制御部２５は、この開閉位相データから収納部１２の開閉方向およびその位置を割り出すことになり、移動量を時間で除算することで収納部１２の開閉速度を割り出すことになる。なお、検知ディスク８７と一体回転する歯付プーリ８６の前方にはタイミングベルト９１の弛みをとるテンションプーリ９２が設けられている。
【００９１】
また、現金管理装置本体１１には、すべての収納部挿入空間形成部６５のそれぞれの後端位置に、収納部１２のうちの挿入されたものの後端部の検知片９５を検知することで、この収納部１２が現金管理装置本体１１に最も押し込まれた後端位置である全閉位置にあることを示す開閉位相データを取得する全閉検知センサ９６が位置固定で設けられている。現金管理装置本体１１には、すべての収納部挿入空間形成部６５のそれぞれの前端位置に、収納部１２のうちの挿入されたものの後端部の検知片９５を検知することで、この収納部１２が現金管理装置本体１１から最も引き出された前端位置である全開位置にあることを示す開閉位相データを取得する全開検知センサ９７が位置固定で設けられている。つまり、全閉検知センサ９６および全開検知センサ９７は、収納部１２の開閉位相データを取得する。
【００９２】
加えて、現金管理装置本体１１には、すべての収納部挿入空間形成部６５のそれぞれの前部位置に、図７に示すように、収納部１２のうちの挿入されたものの側板部３２から突出する係合ピン１０１に係合することでこの収納部１２を全閉位置でロックするロック機構２２が設けられている。つまり、収納部１２のそれぞれに対して、収納部１２を閉状態で個別にロックするロック機構２２が設けられている。
【００９３】
各ロック機構２２は、ソレノイド１０２と、ソレノイド１０２の駆動で支持軸１０３を中心に回動する鉤形のロック部材１０４とを有している。ロック部材１０４は、前端の爪部１０５が下降状態にあるとき係合ピン１０１に係合して収納部１２を引き出し不可にロックする一方、ソレノイド１０２が電気的に駆動され、爪部１０５が上昇状態となると係合ピン１０１への係合を解除して収納部１２を引き出し可能とし開作動を許容する状態となる。また、収納部１２の引き出し後にソレノイド１０２の駆動が解除されると、ロック部材１０４は、爪部１０５が下降状態となり、この状態で、収納部１２が全閉位置に戻されると、係合ピン１０１が爪部１０５を押し上げた後に下降させることになり、爪部１０５が係合ピン１０１に係合して収納部１２を引き出し不可に自動的かつ機械的にロックする。
【００９４】
加えて、現金管理装置本体１１には、すべての収納部挿入空間形成部６５のそれぞれの後端位置に、一つの収納部１２が引き出された状態では他のすべての収納部１２の引き出しを規制することで現金管理装置１０の転倒を防止する図８に示す転倒防止機構１１０が設けられている。この転倒防止機構１１０は、現金管理装置本体１１に上下に移動可能に支持された昇降体１１１と、収納部１２のそれぞれの後端部に設けられた作動ピン１１２とを有している。昇降体１１１は、各収納部１２の位置に、前下がりで傾斜する溝部１１３が形成された規制部材１１４を有している。
【００９５】
転倒防止機構１１０は、一つの収納部１２が引き出されると、その作動ピン１１２が、図８（Ａ）から図８（Ｂ）に示すように、溝部１１３を移動することで溝部１１３の傾斜により昇降体１１１を上昇させる。この状態では、図８（Ｂ）に示すように、他の収納部１２の作動ピン１１２の前方に、規制部材１１４が溝部１１３の後端を作動ピン１１２よりも上昇させた状態で配置されることになり、これにより、規制部材１１４が作動ピン１１２に当接して収納部１２の引き出しを規制する。
【００９６】
昇降体１１１は摩擦により下降が規制されるようになっており、図８（Ｂ）から図８（Ａ）に示すように、引き出されていた収納部１２が戻されると、その作動ピン１１２が溝部１１３を移動することで溝部１１３の傾斜により昇降体１１１を下降させる。この状態では、図８（Ａ）に示すように、すべて収納部１２の作動ピン１１２の前方に、規制部材１１４が溝部１１３の後端を作動ピン１１２と高さを合わせた状態で配置されることになり、これにより、規制部材１１４が作動ピン１１２を溝部１１３に挿入させることが可能となり、すべての収納部１２について択一的な引き出しを許容する状態となる。
【００９７】
そして、本実施形態において、制御部２５は、すべての小束収納部１２（ｂ）のそれぞれについて、一の小束収納部１２（ｂ）に対して設けられた全閉検知センサ９６および全開検知センサ９７の検知結果である開閉位相データからこの一の小束収納部１２（ｂ）が開閉両端位置以外にあり、かつ、この一の小束収納部１２（ｂ）に対して設けられたロータリエンコーダ８８の開閉位相データからこの一の小束収納部１２（ｂ）が停止していると判定した状態にあるとき、この一の小束収納部１２（ｂ）に対して設けられた小束セット検知センサ６６、左端検出ラインセンサ６７、左側帯検出ラインセンサ６８、右側帯検出ラインセンサ６９および右端検出ラインセンサ７０のいずれかの貨幣検出反射データに所定の変化が生じると、不正処理が生じたと判定する。不正処理が生じたと判定すると、制御部２５は、その旨のアラーム表示を表示部１７に表示させるとともに、アラーム音を音声発生部２０に発生させて警告する。
【００９８】
小束セット検知センサ６６、左端検出ラインセンサ６７、左側帯検出ラインセンサ６８、右側帯検出ラインセンサ６９および右端検出ラインセンサ７０における貨幣検出反射データのこの所定の変化は、数量マスタデータに基づいて変化の有無が判定されるものであり、具体的には、貨幣検出反射データが、数量マスタデータのうち小束紙幣Ｔが有ることを判定する束有判定基準データ以上である、小束紙幣Ｔを検出していると判定する状態から、束有判定基準データ未満である、小束紙幣Ｔを検出していないと判定する状態への変化と、小束紙幣Ｔを検出していないと判定する状態から、検出していると判定する状態への変化との両方となっている。なお、貨幣検出反射データの上記の所定の変化として、左端検出ラインセンサ６７、左側帯検出ラインセンサ６８、右側帯検出ラインセンサ６９および右端検出ラインセンサ７０のいずれかが、指を検出していない状態から指を検出したと判定できる状態への変化を合わせても良い。
【００９９】
以上の構成の本実施形態に係る現金管理装置１０において、制御部２５は、小束収納部１２（ｂ）−１〜１２（ｂ）−７からの小束紙幣Ｔの取り出しを可能とする小束出庫モード、小束収納部１２（ｂ）−１〜１２（ｂ）−７への小束紙幣Ｔの収納を可能とする小束入庫モード、小束収納部１２（ｂ）−１〜１２（ｂ）−７に対する小束紙幣Ｔの取り出しおよび収納を可能とする小束入庫・出庫モード、小束収納部１２（ｂ）−８からの新券の小束紙幣Ｔの取り出しを可能とする新券束出庫モード、小束収納部１２（ｂ）−８への新券の小束紙幣Ｔの収納を可能とする新券束入庫モード、小束収納部１２（ｂ）−１〜１２（ｂ）−７の異なるもの同士の間で小束紙幣Ｔの移動を可能とする小束収納部間移動モード、小束収納部１２（ｂ）−１〜１２（ｂ）−８のいずれか一つ内での小束紙幣Ｔの移動を可能とする小束収納部内移動モード、大束収納部１２（ｃ）から大束紙幣の取り出しを可能とする大束出庫モード、および大束収納部１２（ｃ）への大束紙幣の収納を可能とする大束入庫モード等を実行可能となっている。
【０１００】
小束収納部間移動モードは、例えば、全束金種の小束紙幣Ｔを収納することにより各束金種それぞれの収納量が少なくなる小束収納部１２（ｂ）−１に対して、他の小束収納部１２（ｂ）−２〜１２（ｂ）−７から小束紙幣Ｔを補充したり、業務効率を向上させるため二つの小束収納部１２（ｂ）−２，１２（ｂ）−３にばらけて収納されていた同一束金種の小束紙幣Ｔを、これらのうちのいずれか一方に纏めたりする際に実行されるもので、小束収納部１２（ｂ）−１〜１２（ｂ）−７の一つまたは複数から小束紙幣Ｔを取り出し、取り出した小束紙幣Ｔをそのまま小束収納部１２（ｂ）−１〜１２（ｂ）−７の他の一つに収納する装置内移動時に選択される。
【０１０１】
具体的に、同一束金種の小束紙幣Ｔが相互移動可能となる異なる小束収納部１２（ｂ）の組み合わせは、例えば、以下のようになっている。なお、新券の小束紙幣Ｔのみを収納する９段目の小束収納部１２（ｂ）−８については、小束収納部間移動モードの選択対象外となっている。
【０１０２】
全束金種の小束紙幣Ｔを収納可能な小束収納部１２（ｂ）−１と、単一の束金種である万円券の小束紙幣Ｔを収納可能な小束収納部１２（ｂ）−２との組み合わせ。
全束金種の小束紙幣Ｔを収納可能な小束収納部１２（ｂ）−１と、単一の束金種である万円券の小束紙幣Ｔを収納可能な小束収納部１２（ｂ）−３との組み合わせ。
全束金種の小束紙幣Ｔを収納可能な小束収納部１２（ｂ）−１と、単一の束金種である千円券の小束紙幣Ｔを収納可能な小束収納部１２（ｂ）−４との組み合わせ。
全束金種の小束紙幣Ｔを収納可能な小束収納部１２（ｂ）−１と、単一の束金種である五千円券の小束紙幣Ｔを収納可能な小束収納部１２（ｂ）−５との組み合わせ。
全束金種の小束紙幣Ｔを収納可能な小束収納部１２（ｂ）−１と、単一の束金種である二千円券の小束紙幣Ｔを収納可能な小束収納部１２（ｂ）−６との組み合わせ。
全束金種の小束紙幣Ｔを収納可能な小束収納部１２（ｂ）−１と、２つの束金種である万円券の小束紙幣Ｔおよび千円券の小束紙幣Ｔを収納可能な小束収納部１２（ｂ）−７との組み合わせ。
全束金種の小束紙幣Ｔを収納可能な小束収納部１２（ｂ）−１と、これに収納可能な束金種を収納している小束収納部１２（ｂ）−２〜１２（ｂ）−７のうちの複数との組み合わせ。
【０１０３】
単一の束金種である万円券の小束紙幣Ｔを収納可能な小束収納部１２（ｂ）−２と、単一の束金種である万円券の小束紙幣Ｔを収納可能な小束収納部１２（ｂ）−３との組み合わせ。
単一の束金種である万円券の小束紙幣Ｔを収納可能な小束収納部１２（ｂ）−２と、２つの束金種である万円券の小束紙幣Ｔおよび千円券の小束紙幣Ｔを収納可能な小束収納部１２（ｂ）−７との組み合わせ。
単一の束金種である万円券の小束紙幣Ｔを収納可能な小束収納部１２（ｂ）−３と、２つの束金種である万円券の小束紙幣Ｔおよび千円券の小束紙幣Ｔを収納可能な小束収納部１２（ｂ）−７との組み合わせ。
単一の束金種である千円券の小束紙幣Ｔを収納可能な小束収納部１２（ｂ）−４と、２つの束金種である万円券の小束紙幣Ｔおよび千円券の小束紙幣Ｔを収納可能な小束収納部１２（ｂ）−７との組み合わせ。
【０１０４】
「小束出庫モード、小束入庫モード、小束入庫・出庫モード」
小束出庫モード、小束入庫モード、小束入庫・出庫モードのいずれかを実行する入出庫取引時は、特開２０１２−４８３６３号公報に記載された入出庫取引時とほぼ同様である。以下、入出庫取引時の正常時の流れについて説明する。
【０１０５】
まず、一の入出庫取引の開始にあたって、表示部１７に表示された選択画面にしたがって小束出庫モード、小束入庫モード、小束入庫・出庫モードのいずれか一つのモードが操作部１９への入力で選択され、カードリーダ１８にＩＤカードが走査され操作部１９に操作者識別データが入力されると、制御部２５は、カードリーダ１８で読み取ったカード識別データおよび操作部１９に入力された操作者識別データを、記憶部２６に予め記憶されたマスタデータと比較する承認処理を行う。カード識別データおよび操作者識別データの両方がマスタデータにあれば、制御部２５は、小束出庫モード、小束入庫モード、小束入庫・出庫モードのいずれか選択された一つのモードを実行する。
【０１０６】
小束出庫モードを実行する場合、実行開始にあたって、制御部２５は、出庫される小束紙幣Ｔについての金種を示す金種入力データおよび金種毎の数量である取引数量入力データ等の取出内容の操作部１９への入力を受け付ける。小束入庫モードを実行する場合も、実行開始にあたって、制御部２５は、入庫される小束紙幣Ｔについての金種入力データ、および金種毎の取引数量入力データ等の収納内容の操作部１９へ入力を受け付ける。小束入庫・出庫モードを実行する場合も、実行開始にあたって、制御部２５は、入庫される小束紙幣Ｔについての金種入力データおよび金種毎の取引数量入力データの操作部１９へ入力と、出庫される小束紙幣Ｔについての金種入力データ、および金種毎の取引数量入力データの操作部１９へ入力を受け付ける。操作部１９を介してこれら入力データが入力されると、制御部２５は、出庫、入庫、入庫・出庫のいずれか一つを示す区別データ、金種入力データおよび取引数量入力データを表示部１７に表示させるとともに、確定操作の入力を待ち、確定操作が操作部１９に入力されると、この一の入出庫取引の取引識別データとして、日時情報、操作者識別データ、区別データ、金種入力データおよび金種別の取引数量入力データを記憶部２６に記憶する。
【０１０７】
そして、制御部２５は、入力された金種入力データに含まれる金種の小束紙幣Ｔを収納している小束収納部１２（ｂ）−１〜１２（ｂ）−７のいずれか対応するものについて、対応するロック機構２２のロックを解除して開作動可能とするとともに対応する表示灯２３を点滅させる。このとき、制御部２５は、入力された金種別の取引数量入力データに含まれる小束紙幣Ｔの金種別の数量と、各小束収納部１２（ｂ）−１〜１２（ｂ）−７に既に収納されている小束紙幣Ｔの量と、各小束収納部１２（ｂ）−１〜１２（ｂ）−７にこれから収納可能な小束紙幣Ｔの量との関係から、小束収納部１２（ｂ）−１〜１２（ｂ）−７のうちのロックを解除するものの数が最小限となるように設定する。つまり、基本的には、全束金種が収納可能な小束収納部１２（ｂ）−１のみの開閉で対応する。なお、複数の小束収納部１２（ｂ）のロック機構２２によるロックが解除されても、転倒防止機構１１０によって、一つの小束収納部１２（ｂ）が引き出されると、他の小束収納部１２（ｂ）の引き出しは規制されることになる。以下、全束金種が収納可能な小束収納部１２（ｂ）−１のみの開閉で対応する場合を例にとり説明する。
【０１０８】
制御部２５は、例えば、入力された金種入力データに含まれる金種の小束紙幣Ｔを収納している小束収納部１２（ｂ）−１について、対応するロック機構２２のロックを解除して開作動可能とするとともに対応する表示灯２３を点滅させる。すると、操作者は、ロックが解除された小束収納部１２（ｂ）−１を手動により前端位置まで移動させることになり、この状態で、小束紙幣Ｔの出庫、入庫あるいは入庫・出庫の両方を行うことになる。
【０１０９】
制御部２５は、小束収納部１２（ｂ）−１の現金管理装置本体１１からの引き出しが開始されると、小束収納部１２（ｂ）−１用の全閉検知センサ９６、ロータリエンコーダ８８および全開検知センサ９７の開閉位相データからこの小束収納部１２（ｂ）−１の開閉位置を検出することになり、これらの開閉位相データからこの小束収納部１２（ｂ）−１が後端位置から前端位置まで正常に移動したか否かを判断する。小束収納部１２（ｂ）−１を前端位置に移動させた状態で、操作者は、小束収納部１２（ｂ）−１に対する小束紙幣Ｔの出庫、入庫あるいはこれら両方を行うことになる。
【０１１０】
この小束収納部１２（ｂ）−１が後端位置から前端位置まで正常に移動したと判断した後、ロータリエンコーダ８８が検知ディスク８７の回転の検知を開始し且つ全開検知センサ９７が検知片９５を検知しない状態となることで、この小束収納部１２（ｂ）−１の閉方向の移動開始を検出すると、制御部２５は、この小束収納部１２（ｂ）−１に対して設けられた判別部９４を構成する小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この小束収納部１２（ｂ）−１が後端位置に正常に閉庫されたことが検出されると、判別部９４の貨幣検出反射データの取り込みを終了させる。
【０１１１】
このように小束収納部１２（ｂ）−１が前端位置から後端位置に正常に閉庫されると、制御部２５は、この小束収納部１２（ｂ）−１の表示灯２３を消灯し、この小束収納部１２（ｂ）−１に対して設けられた判別部９４を構成するセンサ６６〜７０の左右二組についての閉庫時の貨幣検出反射データから、上記のようにして、この小束収納部１２（ｂ）−１の各束収納凹部４９に収納された小束紙幣Ｔの数量検出データおよび個々の小束紙幣Ｔの金種検出データを取得する。制御部２５は、今回取得した金種別の数量検出データと、記憶部２６に記憶されている直前のこの小束収納部１２（ｂ）−１の金種別の数量検出データとから、この小束収納部１２（ｂ）−１における増減分となる、今回の一の入出庫取引での、実取引の数量である数量実取引データおよび実取引の金種である金種実取引データを総合した金種別の数量実取引データを割り出す。そして、制御部２５は、この金種別の数量実取引データを、今回の一の入出庫取引で入力された取引数量入力データと金種入力データとを総合した金種別の取引数量入力データと照合し、差異が存在したか否かを判定する。
【０１１２】
差異が存在しなければ、制御部２５は、今回割り出した金種別の数量実取引データと、今回取得した金種別の数量検出データとを、この一の入出庫取引の取引識別データと関連付けて記憶部２６に記憶し、この小束収納部１２（ｂ）−１に対する開閉取引が終了したと判断する。
【０１１３】
以上により、制御部２５は、全束金種収納部である小束収納部１２（ｂ）−１に対して一の小束出庫モードを実行する際に、当該一の小束出庫モードの実行開始に当たって操作部１９に入力された取出内容に含まれる全束金種の小束紙幣Ｔが、当該一の小束出庫モードの一度のみの開状態で小束収納部１２（ｂ）−１から取り出し可能となる。また、制御部２５は、全束金種収納部である小束収納部１２（ｂ）−１に対して一の小束入庫モードを実行する際に、当該一の小束出庫モードの実行開始に当たって操作部１９に入力された収納内容に含まれる全束金種の小束紙幣Ｔが、当該一の小束入庫モードの一度のみの開状態で小束収納部１２（ｂ）−１に収納可能となる。
【０１１４】
なお、この一の入出庫取引で、小束収納部１２（ｂ）−１ではなく、小束収納部１２（ｂ）−２〜１２（ｂ）−７のいずれか一つに対して上記開閉取引が行われる場合も、同様に、対応して設けられた判別部９４の判別結果に基づいて金種別の数量実取引データを割り出し、金種別の取引数量入力データと照合することになる。また、小束収納部１２（ｂ）−１〜１２（ｂ）−７のうちの複数のものに対して上記開閉取引が行われる場合も、それぞれに対して設けられた判別部９４の判別結果に基づいて金種別の数量実取引データを割り出し、これらを合算した金種別の数量実取引データと、金種別の取引数量入力データと照合することになる。
【０１１５】
制御部２５は、小束収納部１２（ｂ）−１〜１２（ｂ）−７のうち、一の入出庫取引においてロックが解除されたすべてのものが開閉されてロック状態になると、この一の入出庫取引が終了したと判断して、この一の入出庫取引の内容のログデータとして、この一の入出庫取引の取引識別データ、日時情報、操作者識別データ、区別データ、金種入力データ、金種別の取引数量入力データおよび金種別の数量実取引データを関連つけて記憶部２６に記憶する。このログデータはプリンタ１６に印字可能である。
【０１１６】
なお、新券束入庫モード、新券束出庫モードのいずれかを実行する新券束入出庫取引時には、制御部２５は、上記と同様の入出庫取引を、新券束用の小束収納部１２（ｂ）−８に対して行うことになる。ここで、新券束の出庫は窓口等での通常の取引で生じることになるが、新券束の入庫は窓口等での通常の取引では生じ難い。このため、制御部２５は、新券束用の小束収納部１２（ｂ）−８への新券束入庫モードについては、カードリーダ１８で読み取ったカード識別データおよび操作部１９に入力された操作者識別データが管理者権限を有するものである場合に限り、実行可能とする。これにより、流通券束の入庫が誤って新券束用の小束収納部１２（ｂ）−８に対して行われてしまうことを抑制する。
【０１１７】
「小束収納部間移動モード」
小束収納部間移動モードの実行時は、特開２０１２−４８３６３号公報に記載された入出庫取引時とほぼ同様にして出庫取引と入庫取引とを連続的に行わせる。以下、公報に記載された入出庫取引時と異なる部分を中心に説明する。
【０１１８】
まず、一つの現金管理装置１０内の複数の小束収納部１２（ｂ）間で小束紙幣Ｔを移動する一の小束収納部間移動処理の開始にあたって、表示部１７に表示された選択画面にしたがって小束収納部間移動モードが操作部１９への入力で選択され、カードリーダ１８にＩＤカードが走査され操作部１９に操作者識別データが入力されると、制御部２５は、カードリーダ１８で読み取ったカード識別データおよび操作部１９に入力された操作者識別データを、記憶部２６に予め記憶されたマスタデータと比較する承認処理を行う。カード識別データおよび操作者識別データの両方がマスタデータにあると、制御部２５は、小束収納部間移動モードを実行する。
【０１１９】
小束収納部間移動モードを実行する場合、実行開始にあたって、制御部２５は、操作部１９に移動内容の入力を受け付ける入力受付ステップを実行する。制御部２５は、入力受付ステップにおいて、まず、小束収納部間移動処理が可能な小束収納部１２（ｂ）のみを操作部１９への選択操作が可能な状態とする。そして、小束収納部１２（ｂ）を表示部１７に表示させて、表示された小束収納部１２（ｂ）の中から移動元の小束収納部１２（ｂ）の選択を促す。具体的に、小束収納部間移動処理が可能な小束収納部１２（ｂ）の組み合わせは、上述したように、小束収納部１２（ｂ）−１，１２（ｂ）−２の組み合わせと、小束収納部１２（ｂ）−１，１２（ｂ）−３の組み合わせと、小束収納部１２（ｂ）−１，１２（ｂ）−４の組み合わせと、小束収納部１２（ｂ）−１，１２（ｂ）−５の組み合わせと、小束収納部１２（ｂ）−１，１２（ｂ）−６の組み合わせと、小束収納部１２（ｂ）−１，１２（ｂ）−７の組み合わせと、小束収納部１２（ｂ）−２，１２（ｂ）−３の組み合わせと、小束収納部１２（ｂ）−２，１２（ｂ）−７の組み合わせと、小束収納部１２（ｂ）−３，１２（ｂ）−７の組み合わせと、小束収納部１２（ｂ）−４，１２（ｂ）−７の組み合わせ等である。
【０１２０】
このため、制御部２５は、収納部１２のうちの２段目〜８段目の小束収納部１２（ｂ）−１〜１２（ｂ）−７のみについて、移動元として操作部１９への選択操作を受け付ける状態となる。つまり、９段目の新券束用の小束収納部１２（ｂ）−８および１０段目の大束収納部１２（ｃ）の操作部１９への選択操作は受け付けない状態となる。なお、このとき、２段目〜８段目の小束収納部１２（ｂ）−１〜１２（ｂ）−７であっても、小束紙幣Ｔが収納されていない空のものについては、移動元として選択操作を受け付けない状態となる。
【０１２１】
そして、制御部２５は、図９に示すように、表示部１７の表示領域Ａ１に、移動元の小束収納部１２（ｂ）の選択を促す表示を表示させる。さらに、制御部２５は、選択不可な９段目の小束収納部１２（ｂ）−８および１０段目の大束収納部１２（ｃ）を除く、２段目〜８段目の小束収納部１２（ｂ）−１〜１２（ｂ）−７の各段数とそれぞれの小束収納部１２（ｂ）−１〜１２（ｂ）−７が収納する金種とを示す表示領域Ａ２を表示部１７に表示させる。
【０１２２】
そして、この表示領域Ａ２において、例えば、移動元として選択可能であって現在選択待機状態にある万券用の３段目の小束収納部１２（ｂ）−２を第１の色（例えば緑色）で示し、移動元として選択可能であって現在選択待機状態にない、２段目の全束金種の小束収納部１２（ｂ）−１と、４段目の万券用の小束収納部１２（ｂ）−３と、５段目の千円券の小束収納部１２（ｂ）−４と、６段目の五千円券の小束収納部１２（ｂ）−５と、７段目の二千円券の小束収納部１２（ｂ）−６と、８段目の万円券および千円券の小束収納部１２（ｂ）−７とを第２の色（例えば白色）で示す。なお、３段目の小束収納部１２（ｂ）−２が現在選択待機状態になければ、これを第２の色で示すことになり、他の現在選択待機状態にある小束収納部１２（ｂ）を第１の色で示すことになる。他方、表示部１７の表示領域Ａ２において、空の状態等にあって移動元として選択不可な小束収納部１２（ｂ）がある場合、これを第３の色（例えば灰色）で示す。表示部１７の表示領域Ａ３には、第１の色で枠取りしその内側に現在選択待機状態にある３段目の小束収納部１２（ｂ）−２の段数を表示させる。
【０１２３】
上記のように移動元として３段目の小束収納部１２（ｂ）−２が選択待機状態にあり、この状態で確定操作が操作部１９へ入力されると、これが、移動元として３段目の小束収納部１２（ｂ）−２を選択する指定入力操作となる。このように移動元として３段目の小束収納部１２（ｂ）−２が選択入力されると、制御部２５は、小束収納部１２（ｂ）−２を移動元に設定するとともに、移動元と同一金種である万円券の小束紙幣Ｔを収納していて移動先となり得る２段目の小束収納部１２（ｂ）−１、４段目の小束収納部１２（ｂ）−３および８段目の小束収納部１２（ｂ）−７のみについて操作部１９への選択操作を受け付ける状態となる。
【０１２４】
それとともに、制御部２５は、図１０に示すように、表示部１７の表示領域Ａ２において、決定された移動元の３段目の小束収納部１２（ｂ）−２を第４の色（例えば青色）とし、移動先として選択可能であって現在選択待機状態にある２段目の小束収納部１２（ｂ）−１を第１の色（例えば緑色）とし、移動先として選択可能であって現在選択待機状態にない４段目の小束収納部１２（ｂ）−３および８段目の小束収納部１２（ｂ）−７を第２の色（例えば白色）で示し、束金種が異なり移動先として選択不可な、５〜７段目の小束収納部１２（ｂ）−４〜１２（ｂ）−６を第３の色（例えば灰色）で示す。このようにして、２段目、４段目および８段目が移動先として選択可能であることを表示する。勿論、２段目の小束収納部１２（ｂ）−１が現在選択待機状態になければ、これを第２の色で示すことになり、その際には選択待機状態にある４段目の小束収納部１２（ｂ）−３または８段目の小束収納部１２（ｂ）−７を第１の色で示すことになる。表示部１７の表示領域Ａ３には、第１の色で枠取りしその内側に現在選択待機状態にある２段目の小束収納部１２（ｂ）−１の段数を表示させる。
【０１２５】
上記したように移動先として２段目の小束収納部１２（ｂ）−１が選択待機状態にあり、この状態で確定操作が操作部１９へ入力されると、これが、移動先として２段目の小束収納部１２（ｂ）−１を選択する指定入力操作となる。このように移動先として２段目の小束収納部１２（ｂ）−１が選択入力されると、制御部２５は、小束収納部１２（ｂ）−１を移動先に設定する。
【０１２６】
つまり、制御部２５は、入力受付ステップにおいて、操作部１９への移動元の小束収納部１２（ｂ）の指定入力時には移動元となり得る小束収納部１２（ｂ）のみを選択入力可能とする。そして、移動元の小束収納部１２（ｂ）が選択されると、次に行われる、操作部１９への移動先の小束収納部１２（ｂ）の指定入力時には移動先となり得る小束収納部１２（ｂ）のみを選択入力可能とする。
【０１２７】
なお、例えば、全束金種用の小束収納部１２（ｂ）−１と五千円券用の小束収納部１２（ｂ）−５との組や、全束金種用の小束収納部１２（ｂ）−１と二千円券用の小束収納部１２（ｂ）−６との組のように、移動元の小束収納部１２（ｂ）が選択されると移動先の小束収納部１２（ｂ）が選択の余地なく決まる場合、制御部２５は、移動元が選択されると移動先を自動設定する。
【０１２８】
また、上記のように移動元の小束収納部１２（ｂ）の選択を先に行わせるのではなく、移動先の小束収納部１２（ｂ）の選択を先に行わせるようにしても良い。この場合も、制御部２５は、入力受付ステップにおいて、操作部１９への移動先の小束収納部１２（ｂ）の指定入力時には移動先となり得る小束収納部１２（ｂ）のみを選択入力可能とする。そして、移動先の小束収納部１２（ｂ）が選択されると、移動元が複数から選択可能である場合には、操作部１９への移動元の小束収納部１２（ｂ）の指定入力時には移動元となり得る小束収納部１２（ｂ）のみを選択入力可能とし、移動元の小束収納部１２（ｂ）が必然的に決まる場合はこれを自動設定することになる。
【０１２９】
入力受付ステップにおいて、次に、制御部２５は、図１１に示すように、表示部１７の表示領域Ｂ１に、移動する小束紙幣Ｔの束金種である移動金種入力データおよび移動する小束紙幣Ｔの数量である移動数量入力データの入力を促す表示を表示させ、表示領域Ｂ２に移動元の段数、表示領域Ｂ３に移動先の段数を表示させて、表示領域Ｂ４に、移動金種入力データおよび移動数量入力データの入力を受け付ける状態となる。ここでは、小束紙幣Ｔを移動させるため、移動数量入力データはその束数または金額での入力となる。
【０１３０】
例えば、移動元として３段目の万券用の小束収納部１２（ｂ）−２が、移動先として２段目の全束金種用の小束収納部１２（ｂ）−１が設定されている場合は、万円券の小束紙幣Ｔのみが移動可能となるため、万円券の小束紙幣Ｔの数量の入力のみを受け付ける。このとき、束数が入力されると表示領域Ｂ４に、束金種（図示例では万円券）と束数（図示例では１０束）を表示させるとともに金額（図示例では１０００００００円）を自動計算して表示させ、金額が入力されると表示領域Ｂ４に、金額（図示例では１０００００００円）を表示させるとともに束数（図示例では１０束）を自動計算して表示させる。また、例えば、移動元として８段目の万円券および千円券用の小束収納部１２（ｂ）−７が、移動先として２段目の全束金種用の小束収納部１２（ｂ）−１が設定されている場合は、万円券の小束紙幣Ｔおよび千円券の小束紙幣Ｔが移動可能となるため、万円券の小束紙幣Ｔの数量の入力および千円券の小束紙幣Ｔの少なくともいずれか一方のみの数量の入力を受け付ける状態となる。
【０１３１】
ここで、制御部２５は、移動数量入力データの設定の参考のため、図１１に示す画面切替キーＢ５が操作部１９により選択操作されると、表示部１７の画面が切り替わり、図１２に示すように、表示領域Ｂ６に移動元の小束収納部１２（ｂ）の収納束金種および現在の在高（図示例では万円券が３０束＝３０００００００円）を、表示領域Ｂ７に移動先の小束収納部１２（ｂ）の収納束金種および現在の在高（図示例では万円券が５束＝５００００００円、五千円券が１０束＝５００００００円、二千円券が１０束＝２００００００円、千円券が２０束＝２００００００円）を表示するようになっている。図１２に示すＡＣキーＢ８が操作部１９により選択操作されると、制御部２５は、表示部１７の表示を図１１に示す画面に戻す。
【０１３２】
制御部２５は、移動数量入力データの入力を受け付けるが、その際に、移動元の在高の範囲内であり、かつ移動先の在高に加算しても移動先の移動対象束金種の収納上限量を超えない範囲での移動数量入力データのみを受け付ける。このような移動数量入力データが操作部１９に入力されて確定操作が操作部１９に入力されると、制御部２５は、今回の小束収納部間移動処理の処理識別データに、日時情報、操作者識別データ、移動元の小束収納部１２（ｂ）の識別データ、移動先の小束収納部１２（ｂ）の識別データ、移動金種入力データおよび移動数量入力データを含む移動内容を関連付けて記憶部２６に記憶して、入力受付ステップを終了し、次の移動元ロック解除ステップを実行する。
【０１３３】
「移動元ロック解除ステップ」
移動元ロック解除ステップは、今回の小束収納部間移動処理の移動内容にしたがって移動元の小束収納部１２（ｂ）のロックを解除し移動元の小束収納部１２（ｂ）を引き出し可能な状態とするステップである。制御部２５は、移動元ロック解除ステップの実行にあたり、今回の小束収納部間移動処理の入力受付ステップで入力された移動内容に含まれる移動元の識別データが示す一の小束収納部１２（ｂ）について、対応するロック機構２２のロックを解除して開作動可能とするとともに対応する表示灯２３を点滅させる。さらに、制御部２５は、表示部１７に、図１３に示すように、表示領域Ｃ１に、表示灯２３が点滅している移動元の小束収納部１２（ｂ）の引き出しを促す表示を行い、表示領域Ｃ２に、ロック解除状態にある移動元の小束収納部１２（ｂ）（図示例では３段目の小束収納部１２（ｂ）−２）を示し、表示領域Ｃ３に取り出す小束紙幣Ｔの束金種（図示例では万円券）を、表示領域Ｃ４に取り出すべき束数（図示例では１０束）を、表示領域Ｃ５に取り出し後の移動元の在高（図示例では２０束）を、それぞれ表示させて、移動元ロック解除ステップを終了し、次の取出確認ステップを実行する。
【０１３４】
「取出確認ステップ」
この取出確認ステップは、移動元の小束収納部１２（ｂ）の小束紙幣Ｔの取り出し状況を確認するステップである。移動元ロック解除ステップの後、今回の小束収納部間移動処理の移動内容に含まれる移動元の識別データが示す一の小束収納部１２（ｂ）の現金管理装置本体１１からの引き出しが開始されると、制御部２５は、この一の小束収納部１２（ｂ）用の全閉検知センサ９６、ロータリエンコーダ８８および全開検知センサ９７の開閉位相データからこの一の小束収納部１２（ｂ）の開閉位置を検出することになり、これらの開閉位相データからこの一の小束収納部１２（ｂ）が後端位置から前端位置まで正常に移動したか否かを判断する。小束収納部１２（ｂ）を前端位置に移動させた状態で、操作者は小束紙幣Ｔの出庫を行うことになる。
【０１３５】
この一の小束収納部１２（ｂ）が後端位置から前端位置まで正常に移動したと判断した後、ロータリエンコーダ８８が検知ディスク８７の回転の検知を開始し且つ全開検知センサ９７が検知片９５を検知しない状態となることで、この一の小束収納部１２（ｂ）の閉方向の移動開始を検出すると、制御部２５は、この一の小束収納部１２（ｂ）に対して設けられた判別部９４を構成する小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納部１２（ｂ）が後端位置に正常に閉庫されたことが検出されると、制御部２５は、判別部９４による貨幣検出反射データの取り込みを終了させる。なお、この一の小束収納部１２（ｂ）は、後端位置に正常に閉庫されると、対応するロック機構２２により現金管理装置本体１１に自動的にロックされる。
【０１３６】
この一の小束収納部１２（ｂ）が前端位置から後端位置に正常に閉庫されると、制御部２５は、この一の小束収納部１２（ｂ）の表示灯２３を消灯し、この一の小束収納部１２（ｂ）に対して設けられた判別部９４のセンサ６６〜７０の左右二組についての閉庫時の貨幣検出反射データから、上記のようにして、この一の小束収納部１２（ｂ）の各束収納凹部４９に収納された小束紙幣Ｔの数量検出データを取得する。制御部２５は、今回取得した数量検出データと、記憶部２６に記憶されている直前のこの一の小束収納部１２（ｂ）の数量検出データとから、この一の小束収納部１２（ｂ）における減分となる、今回の一の出庫取引での、実移動の束金種別の数量である束金種別の数量実移動データを割り出す。そして、制御部２５は、この束金種別の数量実移動データを、入力受付ステップで入力された移動内容に含まれる束金種別の移動数量入力データと照合し、差異が存在したか否かを判定する。つまり、制御部２５は、入力受付ステップにおいて入力された移動元の小束収納部１２（ｂ）から取り出されるべき小束紙幣Ｔの内容と、取出確認ステップにおいて確認した当該移動元の小束収納部１２（ｂ）から実際に取り出された小束紙幣Ｔの内容との一致を判定する。
【０１３７】
差異が存在しなければ、制御部２５は、今回の取出確認ステップで割り出した束金種別の数量実移動データと、今回の取出確認ステップで取得した束金種別の数量検出データとを、今回の小束収納部間移動処理の処理識別データと関連付けて記憶部２６に記憶し、取出確認ステップが終了したと判断して、次の移動先ロック解除ステップを実行する。つまり、制御部２５は、移動元ロック解除ステップの実行後に移動元の小束収納部１２（ｂ）が閉状態から開状態となり再び閉状態になると、移動先ロック解除ステップを実行する。差異が存在した場合には、制御部２５は、移動元である一の小束収納部１２（ｂ）の対応するロック機構２２のみのロックを解除して開作動可能とするとともに対応する表示灯２３のみを点滅させて、表示部１７に移動元の小束収納部１２（ｂ）からの出庫にミスがあった旨とミスの内容（出庫不足であるか出庫超過であるかとその数量）の表示を行わせるとともに、音声発生部２０にエラー音を発生させる。
【０１３８】
「移動先ロック解除ステップ」
移動先ロック解除ステップは、入力受付ステップで入力された移動内容にしたがって移動先の小束収納部１２（ｂ）のロックを解除し移動先の小束収納部１２（ｂ）を引き出し可能な状態とするステップである。制御部２５は、移動先ロック解除ステップの実行にあたり、今回の小束収納部間移動処理の移動内容に含まれる移動先の識別データが示す一の小束収納部１２（ｂ）について、対応するロック機構２２のロックを解除して開作動可能とするとともに対応する表示灯２３を点滅させる。さらに、制御部２５は、図１４に示すように、表示部１７の表示領域Ｄ１に、表示灯２３が点滅している小束収納部１２（ｂ）の引き出しを促す表示を行い、表示領域Ｄ２に、ロック解除状態にある移動先の小束収納部１２（ｂ）（図示例では２段目の小束収納部１２（ｂ）−１）を示し、表示領域Ｄ３に収納する小束紙幣Ｔの束金種（図示例では万円券）を、表示領域Ｄ４に収納すべき（受け入れるべき）束数（図示例では１０束）を、表示領域Ｄ５に移動先の収納後の在高（図示例では１５束）を、それぞれ表示させて、移動先ロック解除ステップを終了し、次の収納確認ステップを実行する。
【０１３９】
「収納確認ステップ」
この収納確認ステップは、移動先の小束収納部１２（ｂ）の小束紙幣Ｔの収納状況を確認するステップである。移動先ロック解除ステップの後、今回の小束収納部間移動処理の移動内容に含まれる移動先の識別データが示す一の小束収納部１２（ｂ）の現金管理装置本体１１からの引き出しが開始されると、この一の小束収納部１２（ｂ）用の判別部９４を構成する全閉検知センサ９６、ロータリエンコーダ８８および全開検知センサ９７の開閉位相データからこの一の小束収納部１２（ｂ）の開閉位置を検出することになり、これらの開閉位相データからこの一の小束収納部１２（ｂ）が後端位置から前端位置まで正常に移動したか否かを判断する。小束収納部１２（ｂ）を前端位置まで移動させた状態で、操作者は小束紙幣Ｔの入庫を行うことになる。
【０１４０】
この一の小束収納部１２（ｂ）が後端位置から前端位置まで正常に移動したと判断した後、ロータリエンコーダ８８が検知ディスク８７の回転の検知を開始し且つ全開検知センサ９７が検知片９５を検知しない状態となることで、この一の小束収納部１２（ｂ）の閉方向の移動開始を検出すると、制御部２５は、この一の小束収納部１２（ｂ）に対して設けられた判別部９４を構成する小束セット検知センサ６６、左端検出ラインセンサ６７、左側帯検出ラインセンサ６８、右側帯検出ラインセンサ６９および右端検出ラインセンサ７０の組の左右二組について、これらを駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納部１２（ｂ）が後端位置に正常に閉庫されたことが検出されると、制御部２５は、貨幣検出反射データの取り込みを終了させる。なお、この一の小束収納部１２（ｂ）は、後端位置に正常に閉庫されると、対応するロック機構２２により現金管理装置本体１１に自動的にロックされる。
【０１４１】
このように一の小束収納部１２（ｂ）が前端位置から後端位置に正常に閉庫されると、制御部２５は、この一の小束収納部１２（ｂ）の表示灯２３を消灯し、この一の小束収納部１２（ｂ）に対して設けられた判別部９４のセンサ６６〜７０の左右二組についての閉庫時の貨幣検出反射データから、上記のようにして、この一の小束収納部１２（ｂ）の各束収納凹部４９に収納された小束紙幣Ｔの数量検出データを取得する。制御部２５は、今回取得した数量検出データと、記憶部２６に記憶されている直前のこの一の小束収納部１２（ｂ）の数量検出データとから、この一の小束収納部１２（ｂ）における増分となる、今回の一の入庫取引での、実移動の数量である束金種別の数量実移動データを割り出す。そして、制御部２５は、この束金種別の数量実移動データを、入力受付ステップで入力された移動内容に含まれる移動数量入力データと照合し、差異が存在したか否かを判定する。つまり、制御部２５は、入力受付ステップにおいて入力された移動先の小束収納部１２（ｂ）へ収納されるべき小束紙幣Ｔの内容と、収納確認ステップにおいて確認した当該移動先の小束収納部１２（ｂ）に実際に収納された小束紙幣Ｔの内容との一致を判定する。
【０１４２】
差異が存在しなければ、制御部２５は、今回の収納確認ステップで割り出した束金種別の数量実移動データと、今回の収納確認ステップで取得した束金種別の数量検出データとを、今回の小束収納部間移動処理の処理識別データと関連付けて記憶部２６に記憶し、収納確認ステップが終了したと判断して、今回の小束収納部間移動処理を終了する。他方、差異が存在した場合には、制御部２５は、移動先である一の小束収納部１２（ｂ）の対応するロック機構２２のロックを解除して開作動可能とするとともに対応する表示灯２３を点滅させて、表示部１７に移動先の小束収納部１２（ｂ）への入庫にミスがあった旨とミスの内容（入庫不足であるか入庫超過であるかとその数）の表示を行わせるとともに、音声発生部２０にエラー音を発生させる。
【０１４３】
以上により、制御部２５は、一の小束収納部間移動処理が終了すると、その処理識別データに、今回の小束収納部間移動処理に関する、日時情報、操作者識別データ、移動元の小束収納部１２（ｂ）の識別データ、移動先の小束収納部１２（ｂ）の識別データ、移動金種入力データおよび移動数量入力データを含む移動内容と、今回の小束収納部間移動処理に関する、取出確認ステップで割り出した束金種別の数量実移動データおよび束金種別の数量検出データと、収納確認ステップで割り出した束金種別の数量実移動データおよび束金種別の数量検出データとを、関連付けてログデータとして記憶部２６に記憶させる。このログデータはプリンタ１６に印字可能である。
【０１４４】
つまり、制御部２５は、複数の小束収納部１２（ｂ）間での小束紙幣Ｔの移動を可能とする小束収納部間移動モードを実行可能であり、この小束収納部間移動モードの実行開始に当たって操作部１９に入力された移動内容にしたがって移動元の小束収納部１２（ｂ）の小束紙幣Ｔの取り出しおよび移動先の小束収納部１２（ｂ）への小束紙幣Ｔの収納を可能とするとともに移動元の小束収納部１２（ｂ）から移動先の小束収納部１２（ｂ）への小束紙幣Ｔの移動状況を管理することになる。また、制御部２５は小束紙幣Ｔの移動内容を記憶部２６に記憶させる。
【０１４５】
なお、一の小束収納部間移動処理が完了すると、そのジャーナル印字として、制御部２５は、例えば、図１５に示すように、小束収納部間移動処理であることを示す「機内現金移動」の表示と、日時情報を示す「ＸＸ年０３月１１日  １５：４０」の表示と、操作者名を示す「○○太郎」の表示と、処理識別データを示す「Ｎｏ．００１」の表示と、移動元を示す「３段目」の表示と、移動先を示す「２段目」の表示と、移動現金の状態を示す「小束」の表示と、移動金種を示す「万」の表示と、移動数量を示す「１０束」および「１０，０００，０００」の表示と、移動の合計金額を示す「１０，０００，０００」の表示とをプリンタ１６により用紙Ｐに印字する。
【０１４６】
「小束収納部内移動モード」
まず、一の小束収納部内移動処理の開始にあたって、表示部１７に表示された選択画面にしたがって小束収納部内移動モードが操作部１９への入力で選択され、カードリーダ１８にＩＤカードが走査され操作部１９に操作者識別データが入力されると、制御部２５は、カードリーダ１８で読み取ったカード識別データおよび操作部１９に入力された操作者識別データを、記憶部２６に予め記憶されたマスタデータと比較する承認処理を行う。カード識別データおよび操作者識別データの両方がマスタデータにあると、制御部２５は、小束収納部内移動モードを実行する。
【０１４７】
小束収納部内移動モードを実行する場合、実行開始にあたって、制御部２５は、操作部１９に一の小束収納部１２（ｂ）の指定を受け付ける。一の小束収納部１２（ｂ）が指定入力されると、制御部２５は、今回の小束収納部内移動処理の処理識別データに、日時情報、操作者識別データ、指定された小束収納部１２（ｂ）の識別データを関連付けて記憶部２６に記憶する。
【０１４８】
制御部２５は、今回の小束収納部内移動処理で指定された一の小束収納部１２（ｂ）について、対応するロック機構２２のロックを解除して開作動可能とするとともに対応する表示灯２３を点滅させる。その後、制御部２５は、この一の小束収納部１２（ｂ）用の判別部９４を構成する全閉検知センサ９６、ロータリエンコーダ８８および全開検知センサ９７の開閉位相データからこの一の小束収納部１２（ｂ）の開閉位置を検出することになり、これらの開閉位相データからこの一の小束収納部１２（ｂ）が後端位置から前端位置まで正常に移動したか否かを判断する。小束収納部１２（ｂ）を前端位置まで移動させた状態で、操作者は小束紙幣Ｔの小束収納部内移動を行うことになる。
【０１４９】
この一の小束収納部１２（ｂ）が後端位置から前端位置まで正常に移動したと判断した後、ロータリエンコーダ８８が検知ディスク８７の回転の検知を開始し且つ全開検知センサ９７が検知片９５を検知しない状態となることで、この一の小束収納部１２（ｂ）の閉方向の移動開始を検出すると、制御部２５は、この一の小束収納部１２（ｂ）に対して設けられた判別部９４のセンサ６６〜７０を駆動して、閉庫時の貨幣検出反射データの取り込みを開始させる。そして、ロータリエンコーダ８８が検知ディスク８７の回転の検知を停止し且つ全閉検知センサ９６が検知片９５を検知する状態となることで、この一の小束収納部１２（ｂ）が後端位置に正常に閉庫されたことが検出されると、制御部２５は、貨幣検出反射データの取り込みを終了させる。なお、この一の小束収納部１２（ｂ）は、後端位置に正常に閉庫されると、対応するロック機構２２により現金管理装置本体１１に自動的にロックされる。
【０１５０】
このように一の小束収納部１２（ｂ）が前端位置から後端位置に正常に閉庫されると、制御部２５は、この一の小束収納部１２（ｂ）の表示灯２３を消灯し、この一の小束収納部１２（ｂ）に対して設けられた判別部９４のセンサ６６〜７０についての閉庫時の貨幣検出反射データから、上記のようにして、この一の小束収納部１２（ｂ）に収納された小束紙幣Ｔの数量検出データを取得する。制御部２５は、今回取得した数量検出データと、記憶部２６に記憶されている直前のこの一の小束収納部１２（ｂ）の数量検出データとを照合し、差異が存在したか否かを判定する。
【０１５１】
差異が存在しなければ、制御部２５は、今回の小束収納部内移動処理を終了する。差異が存在した場合には、制御部２５は、今回の小束収納部内移動処理の対象である一の小束収納部１２（ｂ）の対応するロック機構２２のロックを解除して開作動可能とするとともに対応する表示灯２３を点滅させて、表示部１７に移動のミスがあった旨とミスの内容（移動後不足であるか移動後超過であるかとその数）の表示を行わせるとともに、音声発生部２０にエラー音を発生させる。
【０１５２】
以上に述べた本実施形態に係る現金管理装置１０によれば、小束収納部１２（ｂ）−１が、一つにすべての束金種の小束紙幣Ｔを収納可能な全束金種収納部であり、制御部２５が、小束収納部１２（ｂ）−１のすべての束金種の小束紙幣Ｔの入出庫を管理可能であるため、小束収納部１２（ｂ）−１に対し、束金種のあらゆる組み合わせを一度に入出庫することができる。したがって、複数の束金種の小束紙幣Ｔの入出庫を容易かつ短時間で行うことができる。なお、全束金種収納部は少なくとも一つあれば良い。
【０１５３】
また、小束収納部１２（ｂ）−２〜１２（ｂ）−６が、それぞれ、一つに単一束金種の小束紙幣Ｔのみを収納する単一束金種収納部であるため、これらに、それぞれの収納対象の単一束金種の小束紙幣Ｔを一度に大量に入出庫可能となる。したがって、単一束金種の小束紙幣Ｔの大量の入出庫を容易かつ短時間で行うことが可能となる。なお、単一束金種収納部も少なくとも一つあれば良い。
【０１５４】
また、小束収納部１２（ｂ）−２〜１２（ｂ）−６を有し、単一束金種収納部をすべての束金種分有するため、すべての束金種について、単一金種の小束紙幣Ｔの大量の入出庫が一度で可能になる。したがって、すべての束金種について、単一束金種の小束紙幣Ｔの大量の入出庫を容易かつ短時間で行うことが可能となる。
【０１５５】
また、小束収納部１２（ｂ）−２，１２（ｂ）−３を有し、同じ束金種の単一束金種収納部を複数有するため、さらに大量の入出庫に対しても対応可能となる。
【０１５６】
また、複数の同じ束金種の単一束金種収納部である小束収納部１２（ｂ）−２，１２（ｂ）−３，１２（ｂ）−８のうちの小束収納部１２（ｂ）−８が新券束のみを収納し、残りの小束収納部１２（ｂ）−２，１２（ｂ）−３が流通券束のみを収納するため、小束収納部１２（ｂ）−８に対し新券束を一度に入出庫可能となる。したがって、新券束の入出庫を容易かつ短時間で行うことが可能となる。なお、少なくとも一つの小束収納部１２（ｂ）に新券束のみを収納すれば良い。
【０１５７】
また、小束収納部１２（ｂ）−７が、一つに所定の二つの束金種の小束紙幣Ｔのみを収納する二束金種収納部であるため、異なる束金種の小束紙幣Ｔを収納する二つの単一束金種収納部での収納量を補ったり、使用頻度が少ない二つの束金種の小束紙幣Ｔを収納したりと、収納の自由度を向上させることができる。なお、二束金種収納部も少なくとも一つあれば良い。
【０１５８】
また、小束収納部１２（ｂ）−８が、一つに新券の小束紙幣Ｔのみを収納する新券束収納部であるため、新券束の大量の入出庫を容易かつ短時間で行うことが可能となる。なお、新券束収納部も少なくとも一つあれば良い。
【０１５９】
また、大束紙幣を収納する大束収納部１２（ｃ）を有するため、小束収納部１２（ｂ）への同一束金種の小束紙幣Ｔの大量の補充を容易かつ短時間で行うことが可能となる。
【０１６０】
また、小束収納部１２（ｂ）−１には、収納しているすべての小束紙幣の束金種と数量とを判別する判別部９４が設けられているため、小束収納部１２（ｂ）−１に収納している小束紙幣の束金種および数量を管理することができる。
【０１６１】
また、一度開状態とされた小束収納部１２（ｂ）−１が閉状態とされる際に判別部９４によって小束収納部１２（ｂ）−１内のすべての小束紙幣の束金種と数量とを判別させることになるため、判別部９４を移動させることなく、小束収納部１２（ｂ）−１内の小束紙幣Ｔの束金種および数量を把握することができる。
【０１６２】
また、小束収納部１２（ｂ）−１に対して一の小束出庫モードを実行する際に、当該一の小束出庫モードの実行開始に当たって操作部１９に入力された取出内容に含まれる全束金種の小束紙幣Ｔが、当該一の小束出庫モードの一度のみの開状態で小束収納部１２（ｂ）−１から取り出し可能であるため、束金種の小束紙幣のあらゆる組み合わせを一度に出庫することができる。したがって、複数の束金種の小束紙幣Ｔからの出庫を容易かつ短時間で行うことが確実にできる。
【０１６３】
また、小束収納部１２（ｂ）−１に対して一の小束入庫モードを実行する際に、当該一の小束入庫モードの実行開始に当たって操作部１９に入力された収納内容に含まれる全束金種の小束紙幣が、当該一の小束入庫モードの一度のみの開状態で小束収納部１２（ｂ）−１に収納可能であるため、束金種の小束紙幣のあらゆる組み合わせを一度に入庫することができる。したがって、複数の束金種の小束紙幣Ｔへの入庫を容易かつ短時間で行うことが確実にできる。
【０１６４】
また、小束紙幣Ｔの入出庫の内容を記憶部２６に記憶させるため、小束紙幣Ｔの入出庫の内容を後で確認することができる。したがって、入出庫のミスや不正行為を防止することができる。
【０１６５】
また、制御部２５が、複数の小束収納部１２（ｂ）間での小束紙幣Ｔの移動を可能とする小束収納部間移動モードを実行可能であり、この小束収納部間移動モードの実行開始に当たって操作部１９に入力された移動内容にしたがって移動元の小束収納部１２（ｂ）からの小束紙幣Ｔの取り出しおよび移動先の小束収納部１２（ｂ）への小束紙幣Ｔの収納を可能とするとともに移動元の小束収納部１２（ｂ）から移動先の小束収納部１２（ｂ）への小束紙幣Ｔの移動状況を管理するため、操作数を減らすことが可能となる。したがって、小束紙幣Ｔの移動処理を容易かつ正確に短時間で行うことが可能となる。
【０１６６】
また、入力受付ステップでは操作部１９に移動内容の入力を受け付けることになり、移動元ロック解除ステップでは、入力された移動内容にしたがって移動元の小束収納部１２（ｂ）のロックを解除しこの小束収納部１２（ｂ）を引き出し可能な状態とすることになる。これにより操作者が移動元の小束収納部１２（ｂ）を引き出して小束紙幣Ｔを取り出すことになる。また、移動先ロック解除ステップでは、入力された移動内容にしたがって移動先の小束収納部１２（ｂ）のロックを解除しこの小束収納部１２（ｂ）を引き出し可能な状態とすることになる。これにより操作者が移動先の小束収納部１２（ｂ）を引き出して、上記のように移動元の小束収納部１２（ｂ）から取り出した小束紙幣Ｔを収納することになる。また、取出確認ステップでは、移動元の小束収納部１２（ｂ）の小束紙幣Ｔの取り出し状況を確認することになり、収納確認ステップでは、移動先の小束収納部１２（ｂ）の小束紙幣Ｔの収納状況を確認することになる。よって、操作数を確実に減らすことができる。したがって、小束紙幣Ｔの移動処理を容易かつ正確に短時間で行うことが確実にできる。
【０１６７】
また、制御部２５が、入力受付ステップにおいて、操作部１９への移動元の小束収納部１２（ｂ）の指定入力時には移動元となり得る小束収納部１２（ｂ）のみを選択入力可能とするため、移動元の選択ミスを減らすことができる。したがって、小束紙幣Ｔの移動処理を容易かつ正確に短時間で行うことが一層確実にできる。
【０１６８】
また、制御部２５が、入力受付ステップにおいて、操作部１９への移動先の小束収納部１２（ｂ）の指定入力時には移動先となり得る小束収納部１２（ｂ）のみを選択入力可能とするため、移動先の選択ミスを減らすことができる。したがって、小束紙幣Ｔの移動処理を容易かつ正確に短時間で行うことが一層確実にできる。
【０１６９】
また、制御部２５が、入力受付ステップにおいて、移動元の小束収納部１２（ｂ）および移動先の小束収納部１２（ｂ）の現在の在高を表示部１７に表示可能であるため、これらを表示させることで、移動元および移動先の選択ミスをさらに減らすことができる。したがって、小束紙幣Ｔの移動処理を容易かつ正確に短時間で行うことが一層確実にできる。
【０１７０】
また、移動元ロック解除ステップの実行後に移動元の小束収納部１２（ｂ）が閉状態から開状態となり再び閉状態になると、制御部２５が、移動先ロック解除ステップを自動的に実行することになるため、さらに操作数を減らすことができる。したがって、小束紙幣Ｔの移動処理を容易かつ正確に短時間で行うことが一層確実にできる。
【０１７１】
また、制御部２５が、入力受付ステップにおいて入力された移動元の小束収納部１２（ｂ）から取り出されるべき小束紙幣Ｔの内容と、取出確認ステップにおいて確認した当該移動元の小束収納部１２（ｂ）から実際に取り出された小束紙幣Ｔの内容との一致を判定するため、例えば不一致の場合にアラームを発生させることにより、移動元の小束収納部１２（ｂ）からの取り出しミスや不正行為を防止することができる。
【０１７２】
また、制御部２５が、入力受付ステップにおいて入力された移動先の小束収納部１２（ｂ）へ収納されるべき小束紙幣Ｔの内容と、収納確認ステップにおいて確認した当該移動先の小束収納部１２（ｂ）に実際に収納された小束紙幣Ｔの内容との一致を判定するため、例えば不一致の場合にアラームを発生させることにより、移動先の小束収納部１２（ｂ）への収納ミスや不正行為を防止することができる。
【０１７３】
また、制御部２５が、小束収納部内移動モードを実行することで、一つの小束収納部１２（ｂ）内での小束紙幣Ｔの移動が可能となり、一つの小束収納部１２（ｂ）内での小束紙幣Ｔの整理を行うことができる。
【０１７４】
また、制御部２５が、小束紙幣Ｔの移動内容を記憶部２６に記憶させるため、小束紙幣Ｔの移動内容を後で確認することができる。したがって、移動のミスや不正行為を防止することができる。
【０１７５】
なお、上記実施形態においては、小束紙幣Ｔを入出庫可能に収納する小束収納部１２（ｂ）を設け、棒金を入出庫可能に収納する棒金収納部を設けない場合を例にとり説明したが、小束収納部および棒金収納部の両方を有する現金管理装置としても良い。
【符号の説明】
【０１７６】
１０  現金管理装置
１１  現金管理装置本体
１２（ｂ）−１  小束収納部（全束金種収納部）
１２（ｂ）−２  小束収納部（単一束金種収納部）
１２（ｂ）−３  小束収納部（単一束金種収納部）
１２（ｂ）−４  小束収納部（単一束金種収納部）
１２（ｂ）−５  小束収納部（単一束金種収納部）
１２（ｂ）−６  小束収納部（単一束金種収納部）
１２（ｂ）−７  小束収納部（二束金種収納部）
１２（ｂ）−８  小束収納部（単一束金種収納部，新券束収納部）
１２（ｃ）  大束収納部
１７  表示部（表示手段）
１９  操作部（操作手段）
２５  制御部（制御手段）
２６  記憶部(ログ記憶手段)
９４  判別部（判別手段）
Ｔ  小束紙幣
【図１】
2015011381.tif 000003
【図２】
2015011381.tif 000004
【図３】
2015011381.tif 000005
【図４】
2015011381.tif 000006
【図５】
2015011381.tif 000007
【図６】
2015011381.tif 000008
【図７】
2015011381.tif 000009
【図８】
2015011381.tif 000010
【図９】
2015011381.tif 000011
【図１０】
2015011381.tif 000012
【図１１】
2015011381.tif 000013
【図１２】
2015011381.tif 000014
【図１３】
2015011381.tif 000015
【図１４】
2015011381.tif 000016
【図１５】
2015011381.tif 000017